(57)【特許請求の範囲】
【請求項１】
受信システムであって、
各一つの増幅器が、受信システムの入力と受信システムの出力との間にある複数の経路の一つの対応経路に沿って設けられ、かつ、前記増幅器において受信した無線周波数信号を増幅するべく構成された複数の増幅器と、
一以上の入力マルチプレクサ入力において一以上の無線周波数信号を受信し、前記一以上の無線周波数信号のそれぞれを、複数の入力マルチプレクサ出力の一以上へと出力して前記複数の経路の一以上それぞれに沿って伝播させるべく構成された入力マルチプレクサと、
前記複数の経路の一以上それぞれに沿って伝播する一以上の増幅済み無線周波数信号を一以上それぞれの出力マルチプレクサ入力において受信し、前記一以上の増幅済み無線周波数信号を複数の出力マルチプレクサ出力の選択された一つへと出力するべく構成された出力マルチプレクサと、
帯域選択信号を受信し、前記帯域選択信号に基づいて前記入力マルチプレクサ及び前記出力マルチプレクサを制御するべく構成された制御器と
を含み、
前記制御器は、第１帯域選択信号に応答して前記出力マルチプレクサを制御し、出力マルチプレクサ入力において受信した増幅済み無線周波数信号を第１出力マルチプレクサ出力へと引き回し、第２帯域選択信号に応答して前記出力マルチプレクサを制御し、前記出力マルチプレクサ入力において受信した増幅済み無線周波数信号を第２出力マルチプレクサ出力へと引き回すべく構成される受信システム。
【請求項２】
前記制御器は、前記一以上の無線周波数信号が単一周波数帯域を含むことを指示する帯域選択信号に応答して前記出力マルチプレクサを制御し、前記単一周波数帯域に対応する出力マルチプレクサ入力において受信した増幅済み無線周波数信号をデフォルト出力マルチプレクサ出力へと引き回すべく構成される請求項１の受信システム。
【請求項３】
前記デフォルト出力マルチプレクサ出力は、異なる単一周波数帯域に対して異なる請求項２の受信システム。
【請求項４】
前記制御器は、前記一以上の無線周波数信号が第１周波数帯域及び第２周波数帯域を含むことを指示する帯域選択信号に応答して前記出力マルチプレクサを制御し、前記第１周波数帯域に対応する出力マルチプレクサ入力において受信した増幅済み無線周波数信号を第１出力マルチプレクサ出力へと引き回し、前記第２周波数帯域に対応する出力マルチプレクサ入力において受信した増幅済み無線周波数信号を第２出力マルチプレクサ出力へと引き回すべく構成される請求項１の受信システム。
【請求項５】
前記第１周波数帯域及び前記第２周波数帯域は双方とも高周波帯域又は低周波帯域である請求項４の受信システム。
【請求項６】
前記制御器は、前記一以上の無線周波数信号が第１周波数帯域、第２周波数帯域及び第３周波数帯域を含むことを指示する帯域選択信号に応答して前記出力マルチプレクサを制御し、前記第１周波数帯域に対応する出力マルチプレクサ入力において受信した増幅済み無線周波数信号と、前記第２周波数帯域に対応する出力マルチプレクサ入力において受信した増幅済み無線周波数信号とを結合して結合信号を発生させ、前記結合信号を第１出力マルチプレクサ出力へと引き回し、前記第３周波数帯域に対応する出力マルチプレクサ入力において受信した増幅済み無線周波数信号を第２出力マルチプレクサ出力へと引き回すべく構成される請求項１の受信システム。
【請求項７】
前記第１周波数帯域及び前記第２周波数帯域は、前記第１周波数帯域、前記第２周波数帯域及び前記第３周波数帯域の、互いに最も近い周波数帯域である請求項６の受信システム。
【請求項８】
前記第１周波数帯域及び前記第２周波数帯域は、前記第１周波数帯域、前記第２周波数帯域及び前記第３周波数帯域の、最も離れた周波数帯域である請求項６の受信システム。
【請求項９】
前記制御器は、前記一以上の無線周波数信号が多重周波数帯域を含むことを指示する帯域選択信号に応答しかつ送信線が使用不能であることを指示する制御器信号に応答して前記出力マルチプレクサを制御し、前記多重周波数帯域に対応する多重出力マルチプレクサ入力において受信した多重増幅済み無線周波数信号を結合して結合信号を発生させ、前記結合信号を出力マルチプレクサ出力へと引き回すべく構成される請求項１の受信システム。
【請求項１０】
受信システムであって、
各一つの増幅器が、受信システムの入力と受信システムの出力との間にある複数の経路の一つの対応経路に沿って設けられ、かつ、前記増幅器において受信した無線周波数信号を増幅するべく構成された複数の増幅器と、
一以上の入力マルチプレクサ入力において一以上の無線周波数信号を受信し、前記一以上の無線周波数信号のそれぞれを、複数の入力マルチプレクサ出力の一以上へと出力して前記複数の経路の一以上それぞれに沿って伝播させるべく構成された入力マルチプレクサと、
前記複数の経路の一以上それぞれに沿って伝播する一以上の増幅済み無線周波数信号を一以上それぞれの出力マルチプレクサ入力において受信し、前記一以上の増幅済み無線周波数信号を複数の出力マルチプレクサ出力の選択された一つへと出力するべく構成された出力マルチプレクサと、
帯域選択信号を受信し、前記帯域選択信号に基づいて前記入力マルチプレクサ及び前記出力マルチプレクサを制御するべく構成された制御器と
を含み、
前記出力マルチプレクサは、
第１出力マルチプレクサ出力に結合された第１結合器と、
第２出力マルチプレクサ出力に結合された第２結合器と
を含む受信システム。
【請求項１１】
前記第１結合器及び前記第２結合器には一以上のスイッチを介して出力マルチプレクサ入力が結合される請求項１０の受信システム。
【請求項１２】
前記制御器は、前記一以上のスイッチを制御することによって前記出力マルチプレクサを制御する請求項１１の受信システム。
【請求項１３】
前記一以上のスイッチは２つの単極／単投（ＳＰＳＴ）スイッチを含む請求項１１の受信システム。
【請求項１４】
前記一以上のスイッチは単一の単極／多投（ＳＰＭＴ）スイッチを含む請求項１１の受信システム。
【請求項１５】
受信システムであって、
各一つの増幅器が、受信システムの入力と受信システムの出力との間にある複数の経路の一つの対応経路に沿って設けられ、かつ、前記増幅器において受信した無線周波数信号を増幅するべく構成された複数の増幅器と、
一以上の入力マルチプレクサ入力において一以上の無線周波数信号を受信し、前記一以上の無線周波数信号のそれぞれを、複数の入力マルチプレクサ出力の一以上へと出力して前記複数の経路の一以上それぞれに沿って伝播させるべく構成された入力マルチプレクサと、
前記複数の経路の一以上それぞれに沿って伝播する一以上の増幅済み無線周波数信号を一以上それぞれの出力マルチプレクサ入力において受信し、前記一以上の増幅済み無線周波数信号を複数の出力マルチプレクサ出力の選択された一つへと出力するべく構成された出力マルチプレクサと、
帯域選択信号を受信し、前記帯域選択信号に基づいて前記入力マルチプレクサ及び前記出力マルチプレクサを制御するべく構成された制御器と、
それぞれが前記複数の出力マルチプレクサ出力に結合された複数の送信線と
を含む受信システム。
【請求項１６】
無線周波数モジュールであって、
複数の部品を受容するべく構成されたパッケージング基板と、
前記パッケージング基板に実装された受信システムと
を含み、
前記受信システムは、
各一つの増幅器が、受信システムの入力と受信システムの出力との間にある複数の経路の一つの対応経路に沿って設けられ、かつ、前記増幅器において受信した無線周波数信号を増幅するべく構成された複数の増幅器と、
一以上の入力マルチプレクサ入力において一以上の無線周波数信号を受信し、前記一以上の無線周波数信号のそれぞれを、複数の入力マルチプレクサ出力の選択された一以上へと出力して前記複数の経路の一以上それぞれに沿って伝播させるべく構成された入力マルチプレクサと、
前記複数の経路の一以上それぞれに沿って伝播する一以上の増幅済み無線周波数信号を出力マルチプレクサ入力の一以上それぞれにおいて受信し、前記一以上の増幅済み無線周波数信号のそれぞれを、複数の出力マルチプレクサ出力の選択された一つへと出力するべく構成された出力マルチプレクサと、
帯域選択信号を受信し、前記帯域選択信号に基づいて前記入力マルチプレクサ及び前記出力マルチプレクサを制御するべく構成された制御器と
を含み、
前記制御器は、第１帯域選択信号に応答して前記出力マルチプレクサを制御し、出力マルチプレクサ入力において受信した増幅済み無線周波数信号を第１出力マルチプレクサ出力へと引き回し、第２帯域選択信号に応答して前記出力マルチプレクサを制御し、前記出力マルチプレクサ入力において受信した増幅済み無線周波数信号を第２出力マルチプレクサ出力へと引き回すべく構成される無線周波数モジュール。
【請求項１７】
無線周波数モジュールであって、
複数の部品を受容するべく構成されたパッケージング基板と、
前記パッケージング基板に実装された受信システムと
を含み、
前記受信システムは、
各一つの増幅器が、受信システムの入力と受信システムの出力との間にある複数の経路の一つの対応経路に沿って設けられ、かつ、前記増幅器において受信した無線周波数信号を増幅するべく構成された複数の増幅器と、
一以上の入力マルチプレクサ入力において一以上の無線周波数信号を受信し、前記一以上の無線周波数信号のそれぞれを、複数の入力マルチプレクサ出力の選択された一以上へと出力して前記複数の経路の一以上それぞれに沿って伝播させるべく構成された入力マルチプレクサと、
前記複数の経路の一以上それぞれに沿って伝播する一以上の増幅済み無線周波数信号を出力マルチプレクサ入力の一以上それぞれにおいて受信し、前記一以上の増幅済み無線周波数信号のそれぞれを、複数の出力マルチプレクサ出力の選択された一つへと出力するべく構成された出力マルチプレクサと、
帯域選択信号を受信し、前記帯域選択信号に基づいて前記入力マルチプレクサ及び前記出力マルチプレクサを制御するべく構成された制御器と
を含み、
前記出力マルチプレクサは、
第１出力マルチプレクサ出力に結合された第１結合器と、
第２出力マルチプレクサ出力に結合された第２結合器と
を含む無線周波数モジュール。
【請求項１８】
前記無線周波数モジュールはダイバーシティ受信器フロントエンドモジュールである請求項１６又は１７の無線周波数モジュール。
【請求項１９】
無線デバイスであって、
第１無線周波数信号を受信するべく構成された第１アンテナと、
前記第１アンテナと通信する第１フロントエンドモジュールと、
通信モジュールと
を含み、
前記第１フロントエンドモジュールは、複数の部品を受容するべく構成されたパッケージング基板を含み、
前記第１フロントエンドモジュールはさらに、前記パッケージング基板に実装された受信システムを含み、
前記受信システムは、
各一つの増幅器が、受信システムの入力と受信システムの出力との間にある複数の経路の一つの対応経路に沿って設けられ、かつ、前記増幅器において受信した無線周波数信号を増幅するべく構成された複数の増幅器と、
一以上の入力マルチプレクサ入力において一以上の無線周波数信号を受信し、前記一以上の無線周波数信号のそれぞれを、複数の入力マルチプレクサ出力の選択された一以上へと出力して前記複数の経路の一以上それぞれに沿って伝播させるべく構成された入力マルチプレクサと、
前記複数の経路の一以上それぞれに沿って伝播する一以上の増幅済み無線周波数信号を出力マルチプレクサ入力の一以上それぞれにおいて受信し、前記一以上の増幅済み無線周波数信号のそれぞれを、複数の出力マルチプレクサ出力の選択された一つへと出力するべく構成された出力マルチプレクサと、
帯域選択信号を受信し、前記帯域選択信号に基づいて前記入力マルチプレクサ及び前記出力マルチプレクサを制御するべく構成された制御器と
を含み、
前記通信モジュールは、前記第１フロントエンドモジュールからの前記第１無線周波数信号の処理済みバージョンを、それぞれが前記複数の出力マルチプレクサ出力に結合された複数の送信線を介して受信し、前記第１無線周波数信号の処理済みバージョンに基づいてデータビットを発生させるべく構成される無線デバイス。
【請求項２０】
第２無線周波数信号を受信するべく構成された第２アンテナと、
前記第２アンテナと通信する第２フロントエンドモジュールと
をさらに含み、
前記通信モジュールは、前記第２無線周波数信号の出力から前記第２フロントエンドモジュールの処理済みバージョンを受信し、前記第２無線周波数信号の処理済みバージョンに基づいて前記データビットを発生させるべく構成される請求項１９の無線デバイス。
【発明の詳細な説明】
【技術分野】
【０００１】
本開示は一般に、一以上のダイバーシティ受信アンテナを有する無線通信システムに関する。
【０００２】
関連出願の相互参照
本願は、２０１４年１０月３１日出願の「ダイバーシティ受信器フロントエンドシステム」との名称の米国仮出願第６２／０７３，０４３号、２０１４年１０月３１日出願の「フレキシブル多重帯域多重アンテナ受信器モジュール」との名称の米国仮出願第６２／０７３，０４２号、２０１５年６月１日出願の「可変利得増幅器を備えたダイバーシティフロントエンドシステム」との名称の米国出願第１４／７２７，７３９号、及び２０１５年８月２６日出願の「フレキシブルな引き回しを備えたダイバーシティ受信器フロントエンドシステム」との名称の米国出願第１４／８３６，５７５号の優先権を主張する。各開示はその全体が、ここに明示的に参照として組み入れられる。
【背景技術】
【０００３】
無線通信のアプリケーションにおいて、サイズ、コスト及び性能は、所与の製品にとって重要となり得る因子の例である。例えば、性能を向上させるべく、ダイバーシティ受信アンテナ及び関連回路のような無線部品が一般的となっている。
【０００４】
多くの無線周波数（ＲＦ）アプリケーションにおいて、ダイバーシティ受信アンテナは、一次アンテナから物理的に遠くに配置される。双方のアンテナが一度に使用される場合に送受信器は、双方のアンテナからの信号を、データスループットを増加させるべく処理することができる。
【発明の概要】
【０００５】
いくつかの実装によれば、本開示は、複数の増幅器を含む受信システムに関する。複数の増幅器の各一つは、受信システムの入力と当該受信システムの出力との間にある複数の経路の一つの対応経路に沿って設けられ、かつ、当該増幅器において受信した無線周波数（ＲＦ）信号を増幅するべく構成される。受信システムはさらに、一以上の入力マルチプレクサにおいて一以上のＲＦ信号を受信し、当該一以上のＲＦ信号のそれぞれを、複数の入力マルチプレクサ出力の一以上へと出力して複数の経路の一以上それぞれに沿って伝播させるべく構成された入力マルチプレクサを含む。受信システムはさらに、複数の経路の一以上それぞれに沿って伝播する一以上の増幅済みＲＦ信号を一以上それぞれの出力マルチプレクサ入力において受信し、当該一以上の増幅済みＲＦ信号を複数の出力マルチプレクサ出力の選択された一つへと出力するべく構成された出力マルチプレクサを含む。受信システムはさらに、帯域選択信号を受信し、当該帯域選択信号に基づいて入力マルチプレクサ及び出力マルチプレクサを制御するべく構成された制御器を含む。
【０００６】
いくつかの実施形態において、制御器は、一以上のＲＦ信号が単一周波数帯域を含むことを指示する帯域選択信号に応答して出力マルチプレクサを制御し、当該単一周波数帯域に対応する出力マルチプレクサ入力において受信した増幅済みＲＦ信号をデフォルト出力マルチプレクサ出力へと引き回すべく構成することができる。いくつかの実施形態において、デフォルト出力マルチプレクサ出力は、異なる単一周波数帯域に対して異なる。
【０００７】
いくつかの実施形態において、制御器は、一以上のＲＦ信号が第１周波数帯域及び第２周波数帯域を含むことを指示する帯域選択信号に応答して出力マルチプレクサを制御し、当該第１周波数帯域に対応する出力マルチプレクサ入力において受信した増幅済みＲＦ信号を第１出力マルチプレクサ出力へと引き回し、当該第２周波数帯域に対応する出力マルチプレクサ入力において受信した増幅済みＲＦ信号を第２出力マルチプレクサ出力へと引き回すべく構成することができる。いくつかの実施形態において、第１周波数帯域及び第２周波数帯域の双方は、高周波帯域又は低周波帯域とすることができる。
【０００８】
いくつかの実施形態において、制御器は、一以上のＲＦ信号が第１周波数帯域、第２周波数帯域及び第３周波数帯域を含むことを指示する帯域選択信号に応答して出力マルチプレクサを制御し、当該第１周波数帯域に対応する出力マルチプレクサ入力において受信した増幅済みＲＦ信号と、当該第２周波数帯域に対応する出力マルチプレクサ入力において受信した増幅済みＲＦ信号とを結合して結合信号を発生させ、当該結合信号を第１出力マルチプレクサ出力へと引き回し、当該第３周波数帯域に対応する出力マルチプレクサ入力において受信した増幅済みＲＦ信号を第２出力マルチプレクサ出力へと引き回すべく構成することができる。いくつかの実施形態において、第１周波数帯域及び第２周波数帯域は、第１周波数帯域、第２周波数帯域及び第３周波数帯域の、互いに最も近い周波数帯域とすることができる。いくつかの実施形態において、第１周波数帯域及び第２周波数帯域は、第１周波数帯域、第２周波数帯域及び第３周波数帯域の、最も離れた周波数帯域とすることができる。
【０００９】
いくつかの実施形態において、制御器は、一以上のＲＦ信号が多重周波数帯域を含むことを指示する帯域選択信号に応答しかつ送信線が使用不能であることを指示する制御器信号に応答して出力マルチプレクサを制御し、当該多重周波数帯域に対応する多重出力マルチプレクサ入力において受信した多重の増幅済みＲＦ信号を結合して結合信号を発生させ、当該結合信号を出力マルチプレクサ出力へと引き回すべく構成することができる。
【００１０】
いくつかの実施形態において、制御器は、第１帯域選択信号に応答して出力マルチプレクサを制御し、出力マルチプレクサ入力において受信した増幅済みＲＦ信号を第１出力マルチプレクサ出力へと引き回し、第２帯域選択信号に応答して当該出力マルチプレクサを制御し、当該出力マルチプレクサ入力において受信した増幅済みＲＦ信号を第２出力マルチプレクサ出力へと引き回すべく構成することができる。
【００１１】
いくつかの実施形態において、出力マルチプレクサは、第１出力マルチプレクサ出力に結合された第１結合器と、第２出力マルチプレクサ出力に結合された第２結合器とを含み得る。いくつかの実施形態において、出力マルチプレクサ入力は、一以上のスイッチを介して第１結合器及び第２結合器に結合することができる。いくつかの実施形態において、制御器は、一以上のスイッチを制御することによって出力マルチプレクサを制御することができる。いくつかの実施形態において、一以上のスイッチは、２つの単極／単投（ＳＰＳＴ）スイッチを含み得る。いくつかの実施形態において、一以上のスイッチは、単一の単極／多投（ＳＰＭＴ）スイッチを含み得る。いくつかの実施形態において、受信システムはさらに、それぞれが複数の出力マルチプレクサ出力に結合された複数の送信線を含む。
【００１２】
いくつかの実装において、本開示は、複数の部品を受容するべく構成されたパッケージング基板を含む無線周波数（ＲＦ）モジュールに関する。ＲＦモジュールはさらに、パッケージング基板に実装された受信システムを含む。受信システムは複数の増幅器を含む。複数の増幅器の各一つは、受信システムの入力と当該受信システムの出力との間にある複数の経路の一つの対応経路に沿って設けられ、かつ、当該増幅器において受信した無線周波数（ＲＦ）信号を増幅するべく構成される。受信システムは、一以上の入力マルチプレクサ入力において一以上のＲＦ信号を受信し、当該一以上のＲＦ信号のそれぞれを、複数の入力マルチプレクサ出力の選択された一以上へと出力して複数の経路の一以上それぞれに沿って伝播させるべく構成された入力マルチプレクサを含む。受信システムは、複数の経路の一以上それぞれに沿って伝播する一以上の増幅済みＲＦ信号を、一以上それぞれの出力マルチプレクサ入力において受信し、当該一以上の増幅済みＲＦ信号のそれぞれを、複数の出力マルチプレクサ出力の選択された一つへと出力するべく構成された出力マルチプレクサを含む。受信システムは、帯域選択信号を受信し、当該帯域選択信号に基づいて入力マルチプレクサ及び出力マルチプレクサを制御するべく構成された制御器を含む。
【００１３】
いくつかの実施形態において、ＲＦモジュールは、ダイバーシティ受信器フロントエンドモジュール（ＦＥＭ）とすることができる。
【００１４】
いくつかの教示によれば、本開示は、第１無線周波数（ＲＦ）信号を受信するべく構成された第１アンテナを含む無線デバイスに関する。無線デバイスはさらに、第１アンテナと通信する第１フロントエンドモジュール（ＦＥＭ）を含む。第１ＦＥＭは、複数の部品を受容するべく構成されたパッケージング基板を含む。第１ＦＥＭはさらに、パッケージング基板に実装された受信システムを含む。受信システムは複数の増幅器を含む。複数の増幅器の各一つは、受信システムの入力と当該受信システムの出力との間にある複数の経路の一つの対応経路に沿って設けられ、かつ、当該増幅器において受信した無線周波数（ＲＦ）信号を増幅するべく構成される。受信システムは、一以上の入力マルチプレクサ入力において一以上のＲＦ信号を受信し、当該一以上のＲＦ信号のそれぞれを、複数の入力マルチプレクサ出力の選択された一以上へと出力して複数の経路の一以上それぞれに沿って伝播させるべく構成された入力マルチプレクサを含む。受信システムは、複数の経路の一以上それぞれに沿って伝播する一以上の増幅済みＲＦ信号を、一以上それぞれの出力マルチプレクサ入力において受信し、当該一以上の増幅済みＲＦ信号のそれぞれを、複数の出力マルチプレクサ出力の選択された一つへと出力するべく構成された出力マルチプレクサを含む。受信システムは、帯域選択信号を受信し、当該帯域選択信号に基づいて入力マルチプレクサ及び出力マルチプレクサを制御するべく構成された制御器を含む。無線デバイスはさらに、出力からの第１ＲＦ信号の処理済みバージョンを、それぞれが複数の出力マルチプレクサ出力に結合された複数の送信線を介して受信し、当該第１ＲＦ信号の処理済みバージョンに基づいてデータビットを発生させるべく構成された通信モジュールを含む。
【００１５】
いくつかの実施形態において、無線デバイスはさらに、第２無線周波数（ＲＦ）信号を受信するべく構成された第２アンテナと、当該第２アンテナと通信する第２ＦＥＭとを含む。通信モジュールは、第２ＦＥＭの出力から第２ＲＦ信号の処理済みバージョンを受信し、当該第２ＲＦ信号の処理済みバージョンに基づいてデータビットを発生させるべく構成することができる。
【００１６】
本開示を要約する目的で本発明の一定の側面、利点及び新規な特徴がここに記載された。理解すべきことだが、かかる利点のすべてが必ずしも、本発明の任意の特定実施形態によって達成できるわけではない。すなわち、本発明は、ここに教示される一の利点又は一群の利点を、ここに教示又は示唆される他の利点を必ずしも達成することなく、達成又は最適化する態様で具体化又は実施をすることができる。
【図面の簡単な説明】
【００１７】
【図１】一次アンテナ及びダイバーシティアンテナに結合された通信モジュールを有する無線デバイスを示す。
【図２】ＤＲｘフロントエンドモジュール（ＦＥＭ）を含むダイバーシティ受信器（ＤＲｘ）構成を示す。
【図３】いくつかの実施形態において、ダイバーシティ受信器（ＤＲｘ）構成が、多重周波数帯域に対応する多重経路を備えたＤＲｘモジュールを含み得ることを示す。
【図４】いくつかの実施形態において、ダイバーシティ受信器構成が、ダイバーシティ受信器（ＤＲｘ）モジュールよりも少ない増幅器を備えたダイバーシティＲＦモジュールを含み得ることを示す。
【図５】いくつかの実施形態において、ダイバーシティ受信器構成が、オフモジュールフィルタに結合されたＤＲｘモジュールを含み得ることを示す。
【図６】いくつかの実施形態において、ダイバーシティ受信器構成が、チューニング可能整合回路を備えたＤＲｘモジュールを含み得ることを示す。
【図７】いくつかの実施形態において、ダイバーシティ受信器構成が多重送信線を含み得ることを示す。
【図８】動的引き回しを目的として使用することができる出力マルチプレクサの一実施形態を示す。
【図９】動的引き回しを目的として使用することができる出力マルチプレクサの他実施形態を示す。
【図１０】いくつかの実施形態において、ダイバーシティ受信器構成が多重アンテナを含み得ることを示す。
【図１１】動的引き回しを目的として使用することができる入力マルチプレクサの一実施形態を示す。
【図１２】動的引き回しを目的として使用することができる入力マルチプレクサの他実施形態を示す。
【図１３Ａ】図１３ａ〜１３Ｆは、動的入力引き回し及び／又は出力引き回しを備えたＤＲｘモジュールの様々な実装を示す。
【図１３Ｂ】図１３ａ〜１３Ｆは、動的入力引き回し及び／又は出力引き回しを備えたＤＲｘモジュールの様々な実装を示す。
【図１３Ｃ】図１３ａ〜１３Ｆは、動的入力引き回し及び／又は出力引き回しを備えたＤＲｘモジュールの様々な実装を示す。
【図１３Ｄ】図１３ａ〜１３Ｆは、動的入力引き回し及び／又は出力引き回しを備えたＤＲｘモジュールの様々な実装を示す。
【図１３Ｅ】図１３ａ〜１３Ｆは、動的入力引き回し及び／又は出力引き回しを備えたＤＲｘモジュールの様々な実装を示す。
【図１３Ｆ】図１３ａ〜１３Ｆは、動的入力引き回し及び／又は出力引き回しを備えたＤＲｘモジュールの様々な実装を示す。
【図１４】ＲＦ信号を処理する方法のフローチャート表現の一実施形態を示す。
【図１５】ここに記載される一以上の特徴を有するモジュールを描く。
【図１６】ここに記載される一以上の特徴を有する無線デバイスを描く。
【発明を実施するための形態】
【００１８】
ここに与えられる見出しは、たとえあったとしても、便宜のみのためであって、必ずしも請求項に係る発明の範囲又は意味に影響するわけではない。
【００１９】
図１は、一次アンテナ１３０及びダイバーシティアンテナ１４０に結合された通信モジュール１１０を有する無線デバイス１００を示す。通信モジュール１１０（及びその構成部品）は、制御器１２０により制御することができる。通信モジュール１１０は、アナログ無線周波数（ＲＦ）信号及びデジタルデータ信号間の変換をするべく構成される送受信器１１２を含む。それを目的として、送受信器１１２は、デジタル／アナログ変換器、アナログ／デジタル変換器、ベース帯域アナログ信号を搬送周波数に変調若しくは搬送周波数から復調する局所発振器、デジタルサンプル及びデータビット（例えば音声又は他のタイプのデータ）間の変換をするベース帯域プロセッサ、又は他の部品を含み得る。
【００２０】
通信モジュール１１０はさらに、一次アンテナ１３０及び送受信器１１２間に結合されたＲＦモジュール１１４を含む。ＲＦモジュール１１４は、ケーブル損失に起因する減衰を低減するべく一次アンテナ１３０に物理的に近いので、ＲＦモジュール１１４は、フロントエンドモジュール（ＦＥＭ）と称することができる。ＲＦモジュール１１４は、送受信器１１２の一次アンテナ１３０から受信したアナログ信号、又は送受信器１１２から受信して一次アンテナ１３０を介して送信するアナログ信号に処理を行うことができる。それを目的として、ＲＦモジュール１１４は、フィルタ、電力増幅器、帯域選択スイッチ、整合回路及び他の部品を含み得る。同様に、通信モジュール１１０は、同様の処理を行う送受信器１１２とダイバーシティアンテナ１４０との間に結合されたダイバーシティＲＦモジュール１１６を含む。
【００２１】
信号が無線デバイスに送信されると当該信号は、一次アンテナ１３０及びダイバーシティアンテナ１４０の双方において受信され得る。一次アンテナ１３０及びダイバーシティアンテナ１４０は物理的に離間しているので、一次アンテナ１３０及びダイバーシティアンテナ１４０において受信される信号は異なる特性を備える。例えば、一実施形態において、一次アンテナ１３０及びダイバーシティアンテナ１４０は、異なる減衰、雑音、周波数応答又は位相シフトを備えた信号を受信し得る。送受信器１１２は、異なる特性を備えた双方の信号を使用して、当該信号に対応するデータビットを決定することができる。いくつかの実装において、送受信器１１２は、当該特性に基づいて一次アンテナ１３０及びダイバーシティアンテナ１４０間から、信号対雑音比が最高のアンテナを選択するというように、選択される。いくつかの実装において、送受信器１１２は、一次アンテナ１３０からの信号とダイバーシティアンテナ１４０からの信号とを結合して当該結合信号の信号対雑音比を増加させる。いくつかの実装において、送受信器１１２は、多重入力／多重出力（ＭＩＭＯ）通信を行うべく信号を処理する。
【００２２】
ダイバーシティアンテナ１４０は一次アンテナ１３０から物理的に離間しているので、ダイバーシティアンテナ１４０は、ケーブル又はプリント回路基板（ＰＣＢ）トレースのような送信線１３５を介して通信モジュール１１０に結合される。いくつかの実装において、送信線１３５は損失性であり、ダイバーシティアンテナ１４０において受信された信号を減衰させ、その後、当該信号は通信モジュール１１０に到達する。すなわち、いくつかの実装において、以下に記載するように、ダイバーシティアンテナ１４０において受信された信号に利得が適用される。利得（又は他の、フィルタリングのようなアナログ処理）は、ダイバーシティ受信器モジュールによって適用することができる。かかるダイバーシティ受信器モジュールは、ダイバーシティアンテナ１４０の物理的近くに配置されるので、ダイバーシティ受信器フロントエンドモジュールと称することができる。
【００２３】
図２は、ＤＲｘフロントエンドモジュール（ＦＥＭ）２１０を含むダイバーシティ受信器（ＤＲｘ）構成２００を示す。ＤＲｘ構成２００は、ダイバーシティ信号を受信して当該ダイバーシティ信号をＤＲｘＦＥＭ２１０に与えるべく構成されたダイバーシティアンテナ１４０を含む。ＤＲｘＦＥＭ２１０は、ダイバーシティアンテナ１４０から受信したダイバーシティ信号の処理を行うべく構成される。例えば、ＤＲｘＦＥＭ２１０は、ダイバーシティ信号を、例えば制御器１２０が指示するような一以上のアクティブ周波数帯域へとフィルタリングするべく構成することができる。他例では、ＤＲｘＦＥＭ２１０は、ダイバーシティ信号を増幅するべく構成することができる。それを目的として、ＤＲｘＦＥＭ２１０は、フィルタ、低雑音増幅器、帯域選択スイッチ、整合回路及び他の部品を含み得る。
【００２４】
ＤＲｘＦＥＭ２１０は、処理されたダイバーシティ信号を、送信線１３５を介して、ダイバーシティＲＦ（Ｄ−ＲＦ）モジュール１１６のような下流側モジュールへと送信する。下流側モジュールは、さらに処理されたダイバーシティ信号を送受信器１１２に供給する。ダイバーシティＲＦモジュール１１６（及び、いくつかの実装においては送受信器）は、制御器１２０によって制御される。いくつかの実装において、制御器１２０は、送受信器１１２内に実装することができる。
【００２５】
図３は、いくつかの実施形態において、ダイバーシティ受信器（ＤＲｘ）構成３００が、多重周波数帯域に対応する多重経路を備えたＤＲｘモジュール３１０を含み得ることを示す。ＤＲｘ構成３００は、ダイバーシティ信号を受信するべく構成されたダイバーシティアンテナ１４０を含む。いくつかの実装において、ダイバーシティ信号は、単一周波数帯域に変調されたデータを含む単一帯域信号とすることができる。いくつかの実装において、ダイバーシティ信号は、多重周波数帯域に変調されたデータを含む多重帯域信号（帯域間キャリアアグリゲーション信号とも称する）とすることができる。
【００２６】
ＤＲｘモジュール３１０は、ダイバーシティアンテナ１４０からのダイバーシティ信号を受信する入力と、処理されたダイバーシティ信号を送受信器３３０に（送信線１３５及びダイバーシティＲＦモジュール３２０を介して）与える出力とを有する。ＤＲｘモジュール３１０の入力は、第１マルチプレクサ（ＭＵＸ）３１１の入力に供給される。第１マルチプレクサ３１１は複数のマルチプレクサ出力を含む。各マルチプレクサ出力は、ＤＲｘモジュール３１０の入力及び出力間の経路に対応する。各経路は、各周波数帯域に対応し得る。ＤＲｘモジュール３１０の出力は、第２マルチプレクサ３１２の出力によって与えられる。第２マルチプレクサ３１２は複数のマルチプレクサ入力を含む。各マルチプレクサ入力は、ＤＲｘモジュール３１０の入力及び出力間の経路の一つに対応する。
【００２７】
周波数帯域は、ＵＭＴＳ（ユニバーサル移動体通信システム）周波数帯域のようなセルラー周波数帯域とすることができる。例えば、第１周波数帯域を１９３０メガヘルツ（ＭＨＺ）〜１９９０ＭＨｚのＵＭＴＳダウンリンク又は「Ｒｘ」帯域２とし、第２周波数帯域を８６９ＭＨｚ〜８９４ＭＨｚのＵＭＴＳダウンリンク又は「Ｒｘ」帯域５とすることができる。表１において以下に記載のもの又は他の非ＵＭＴＳ周波数帯域のような、他のダウンリンク周波数帯域も使用され得る。
【００２８】
いくつかの実装において、ＤＲｘモジュール３１０はＤＲｘ制御器３０２を含む。ＤＲｘ制御器３０２は、制御器１２０（通信制御器とも称する）から信号を受信し、当該受信信号に基づいて入力及び出力間の複数の経路の一以上を選択的にアクティブにする。いくつかの実装において、ＤＲｘモジュール３１０は、ＤＲｘ制御器３０２を含まずに制御器１２０が、複数の経路の一以上を直接、選択的にアクティブにする。
【００２９】
上述のように、いくつかの実装において、ダイバーシティ信号は単一帯域信号である。すなわち、いくつかの実装において、第１マルチプレクサ３１１は、単一帯域信号の周波数帯域に対応する複数の経路の一つへと、ＤＲｘ制御器３０２から受信した信号に基づきダイバーシティ信号を引き回す単極／多投（ＳＰＭＴ）スイッチである。ＤＲｘ制御器３０２は、ＤＲｘ制御器３０２が通信制御器１２０から受信した帯域選択信号に基づいて信号を発生させることができる。同様に、いくつかの実装において、第２マルチプレクサ３１２は、ＤＲｘ制御器３０２から受信した信号に基づいて、単一帯域信号の周波数帯域に対応する複数の経路の一つからの信号を引き回すＳＰＭＴスイッチである。
【００３０】
上述のように、いくつかの実装において、ダイバーシティ信号は多重帯域信号である。すなわち、いくつかの実装において、第１マルチプレクサ３１１は、ＤＲｘ制御器３０２から受信した分割器制御信号に基づいて、多重帯域信号の２以上周波数帯域に対応する複数の経路の２以上にダイバーシティ信号を引き回す帯域分割器である。信号分割器の機能は、ＳＰＭＴスイッチ、ダイプレクサフィルタ、又はこれらの何らかの組み合わせとして実装することができる。同様に、いくつかの実装において、第２マルチプレクサ３１２は、多重帯域信号の２以上の周波数帯域に対応する複数の経路の２以上からの信号を、ＤＲｘ制御器３０２から受信した結合器制御信号に基づいて結合する信号結合器である。信号結合器の機能は、ＳＰＭＴスイッチ、ダイプレクサフィルタ、又はこれらの何らかの組み合わせとして実装することができる。ＤＲｘ制御器３０２は、ＤＲｘ制御器３０２が通信制御器１２０から受信した帯域選択信号に基づいて分割器制御信号及び結合器制御信号を発生させることができる。
【００３１】
すなわち、いくつかの実装において、ＤＲｘ制御器３０２は、ＤＲｘ制御器３０２が（例えば通信制御器１２０から）受信した帯域選択信号に基づいて、複数の経路の一以上を選択的にアクティブにするべく構成される。いくつかの実装において、ＤＲｘ制御器３０２は、信号分割器に分割器制御信号を送信しかつ信号結合器に結合器制御信号を送信することによって複数の経路の一以上を選択的にアクティブにするべく構成される。
【００３２】
ＤＲｘモジュール３１０は複数の帯域通過フィルタ３１３ａ〜３１３ｄを含む。帯域通過フィルタ３１３ａ〜３１３ｄの各一つは、複数の経路の一つの対応経路に沿って設けられ、かつ、帯域通過フィルタにおいて受信された信号を、当該複数の経路の当該一つの対応周波数帯域へとフィルタリングするべく構成される。いくつかの実装において、帯域通過フィルタ３１３ａ〜３１３ｄはさらに、帯域通過フィルタにおいて受信した信号を、当該複数の経路の当該一つの対応周波数帯域のダウンリンク周波数サブ帯域へとフィルタリングするべく構成される。ＤＲｘモジュール３１０は複数の増幅器３１４ａ〜３１４ｄを含む。増幅器３１４ａ〜３１４ｄの各一つは、複数の経路の一つの対応経路に沿って設けられ、かつ、当該増幅器において受信した信号を増幅するべく構成される。
【００３３】
いくつかの実装において、増幅器３１４ａ〜３１４ｄは、当該増幅器が設けられた経路の各周波数帯域内の信号を増幅するべく構成された狭帯域増幅器である。いくつかの実装において、増幅器３１４ａ〜３１４ｄは、ＤＲｘ制御器３０２によって制御可能である。例えば、いくつかの実装において、増幅器３１４ａ〜３１４ｄはそれぞれ、イネーブル／ディセーブル入力を含み、当該イネーブル／ディセーブル入力において受信した増幅器イネーブル信号に基づいてイネーブル（又はディセーブル）にされる。増幅器イネーブル信号は、ＤＲｘ制御器３０２によって送信することができる。すなわち、いくつかの実装において、ＤＲｘ制御器３０２は、複数の経路の一以上に沿ってそれぞれが設けられた増幅器３１４ａ〜３１４ｄの一以上に増幅器イネーブル信号を送信することにより、当該複数の経路の一以上を選択的にアクティブにするべく構成される。かかる実装においては、ＤＲｘ制御器３０２による制御というよりもむしろ、第１マルチプレクサ３１１を、ダイバーシティ信号を複数の経路のそれぞれに引き回す信号分割器とし、第２マルチプレクサ３１２を、当該複数の経路のそれぞれからの信号を結合する信号結合器とすることができる。しかしながら、ＤＲｘ制御器３０２が第１マルチプレクサ３１１及び第２マルチプレクサ３１２を制御する実装において、ＤＲＸ制御器３０２はまた、例えば電池を節約するべく特定の増幅器３１４ａ〜３１４ｄをイネーブル（又はディセーブル）にすることもできる。
【００３４】
いくつかの実装において、増幅器３１４ａ〜３１４ｄは可変利得増幅器（ＶＧＡ）である。すなわち、いくつかの実装において、ＤＲｘモジュール３１０は複数の可変利得増幅器（ＶＧＡ）を含み、ＶＧＡの各一つは、複数の経路の一つの対応経路に沿って設けられ、かつ、当該ＶＧＡにおいて受信した信号を、ＤＲｘ制御器３０２から受信した増幅器制御信号によって制御される利得によって増幅するべく構成される。
【００３５】
ＶＧＡの利得は、バイパス可能、ステップ可変、連続可変とすることができる。いくつかの実装において、ＶＧＡの少なくとも一つは、固定利得増幅器と、増幅器制御信号によって制御可能なバイパススイッチとを含む。バイパススイッチは（第１位置において）、固定利得増幅器の入力と当該固定利得増幅器の出力との間の線を閉とすることにより、信号が当該固定利得増幅器をバイパスするのを許容することができる。バイパススイッチは（第２位置において）入力及び出力間の線を開とすることにより、信号が固定利得増幅器を通過するようにできる。いくつかの実装において、バイパススイッチが第１位置にあると、固定利得増幅器はディセーブルにされ、又はバイパスモードに適合するべく再構成される。
【００３６】
いくつかの実装において、ＶＧＡの少なくとも一つは、当該ＶＧＡにおいて受信した信号を、増幅器制御信号によって指示された複数の設定量の一つの利得によって増幅するべく構成されたステップ可変利得増幅器を含む。いくつかの実装において、ＶＧＡの少なくとも一つは、当該ＶＧＡにおいて受信した信号を増幅器制御信号に比例する利得によって増幅するべく構成された連続可変利得増幅器を含む。
【００３７】
いくつかの実装において、増幅器３１４ａ〜３１４ｄは可変電流増幅器（ＶＣＡ）である。ＶＣＡにより引き出される電流は、バイパス可能、ステップ可変、連続可変とすることができる。いくつかの実装において、ＶＣＡの少なくとも一つは、固定電流増幅器と、増幅器制御信号によって制御可能なバイパススイッチとを含む。バイパススイッチは（第１位置において）、固定電流増幅器の入力と当該固定電流増幅器の出力との間の線を閉とすることにより、信号が当該固定電流増幅器をバイパスするのを許容することができる。バイパススイッチは（第２位置において）入力及び出力間の線を開とすることにより、信号が固定電流増幅器を通過するようにできる。いくつかの実装において、バイパススイッチが第１位置にあると、固定電流増幅器はディセーブルにされ、又はバイパスモードに適合するべく再構成される。
【００３８】
いくつかの実装において、ＶＣＡの少なくとも一つは、当該ＶＣＡにおいて受信した信号を、増幅器制御信号が指示する複数の設定量の一つの電流を引き出すことによって増幅するべく構成されたステップ可変電流増幅器を含む。いくつかの実装において、ＶＣＡの少なくとも一つは、当該ＶＣＡにおいて受信した信号を、増幅器制御信号に比例する電流を引き出すことによって増幅するべく構成された連続可変電流増幅器を含む。
【００３９】
いくつかの実装において、増幅器３１４ａ〜３１４ｄは、固定利得、固定電流増幅器である。いくつかの実装において、増幅器３１４ａ〜３１４ｄは、固定利得、可変電流増幅器である。いくつかの実装において、増幅器３１４ａ〜３１４ｄは、可変利得、固定電流増幅器である。いくつかの実装において、増幅器３１４ａ〜３１４ｄは、可変利得、可変電流増幅器である。
【００４０】
いくつかの実装において、ＤＲｘ制御器３０２は、入力において受信した入力信号の、サービス品質メトリックに基づいて増幅器制御信号（複数可）を発生させる。いくつかの実装において、ＤＲｘ制御器３０２は、通信制御器１２０から受信した信号に基づいて増幅器制御信号（複数可）を発生させる。増幅器制御信号はさらに、受信信号のサービス品質（ＱｏＳ）メトリックに基づき得る。受信信号のＱｏＳメトリックは、少なくとも部分的には、ダイバーシティアンテナ１４０において受信したダイバーシティ信号（例えば入力において受信した入力信号）に基づき得る。受信信号のＱｏＳメトリックはさらに、一次アンテナにおいて受信した信号に基づき得る。いくつかの実装において、ＤＲｘ制御器３０２は、通信制御器１２０から信号を受信することなく、ダイバーシティ信号のＱｏＳメトリックに基づいて増幅器制御信号（複数可）を発生させる。
【００４１】
いくつかの実装において、ＱｏＳメトリックは信号強度を含む。他例では、ＱｏＳメトリックは、ビット誤り率、データスループット、送信遅延、又は任意の他のＱｏＳメトリックを含み得る。
【００４２】
上述のように、ＤＲｘモジュール３１０は、ダイバーシティアンテナ１４０からのダイバーシティ信号を受信する入力と、処理されたダイバーシティ信号を送受信器３３０に（送信線１３５及びダイバーシティＲＦモジュール３２０を介して）与える出力とを有する。ダイバーシティＲＦモジュール３２０は、処理されたダイバーシティ信号を、送信線１３５を介して受信してさらなる処理を行う。特に、処理されたダイバーシティ信号は、ダイバーシティＲＦマルチプレクサ３２１によって一以上の経路へと分割され又は引き回される。当該経路において、分割され又は引き回された信号は、対応する帯域通過フィルタ３２３ａ〜３２３ｄによるフィルタリングを受け、対応する増幅器３２４ａ〜３２４ｄによって増幅される。増幅器３２４ａ〜３２４ｄそれぞれの出力は、送受信器３３０に与えられる。
【００４３】
ダイバーシティＲＦマルチプレクサ３２１は、経路の一以上を選択的にアクティブにするべく制御器１２０によって（直接的に又はオンチップダイバーシティＲＦ制御器を介してのいずれかによって）制御することができる。同様に、増幅器３２４ａ〜３２４ｄも制御器１２０によって制御され得る。例えば、いくつかの実装において、増幅器３２４ａ〜３２４ｄのそれぞれは、イネーブル／ディセーブル入力を含み、増幅器イネーブル信号に基づいてイネーブル（又はディセーブル）にされる。いくつかの実装において、増幅器３２４ａ〜３２４ｄは、制御器１２０（又は制御器１２０が制御するオンチップダイバーシティＲＦ制御器）から受信した増幅器制御信号が制御する利得により、ＶＧＡにおいて受信した信号を増幅する可変利得増幅器（ＶＧＡ）である。いくつかの実装において、増幅器３２４ａ〜３２４ｄは可変電流増幅器（ＶＣＡ）である。
【００４４】
すでにダイバーシティＲＦモジュール３２０を含んだ受信器チェーンにＤＲｘモジュール３１０を追加することにより、ＤＲｘ構成３００における帯域通過フィルタの数は２倍となる。すなわち、いくつかの実装において、帯域通過フィルタ３２３ａ〜３２３ｄは、ダイバーシティＲＦモジュール３２０には含まれない。むしろ、ＤＲｘモジュール３１０の帯域通過フィルタ３１３ａ〜３１３ｄが、帯域外ブロッカーの強度を低減するべく使用される。さらに、ダイバーシティＲＦモジュール３２０の自動利得制御（ＡＧＣ）テーブルをシフトして、ダイバーシティＲＦモジュール３２０の増幅器３２４ａ〜３２４ｄが与える利得量を、ＤＲｘモジュール３１０の増幅器３１４ａ〜３１４ｄが与える利得量だけ低減することができる。
【００４５】
例えば、ＤＲｘモジュール利得が１５ｄＢでありかつ受信器感度が−１００ｄＢｍの場合、ダイバーシティＲＦモジュール３２０は−８５ｄＢｍの感度となる。ダイバーシティＲＦモジュール３２０の閉ループＡＧＣがアクティブになると、その利得は自動的に１５ｄＢだけ降下する。しかしながら、信号部品及び帯域外ブロッカーの双方が受信されて１５ｄＢだけ増幅される。すなわち、ダイバーシティＲＦモジュール３２０の１５ｄＢ利得降下には、その線形性の１５ｄＢ上昇も付随し得る。特に、ダイバーシティＲＦモジュール３２０の増幅器３２４ａ〜３２４ｄは、当該増幅器の線形性が、利得低減（又は電流増加）に伴い増加するように設計され得る。
【００４６】
いくつかの実装において、制御器１２０は、ＤＲｘモジュール３１０の増幅器３１４ａ〜３１４ｄとダイバーシティＲＦモジュール３２０の増幅器３２４ａ〜３２４ｄとの利得（及び／又は電流）を制御する。上記例においてのように、制御器１２０は、ＤＲｘモジュール３１０の増幅器３１４ａ〜３１４ｄが与える一定量の利得が増加することに応答して、ダイバーシティＲＦモジュール３２０の増幅器３２４ａ〜３２４ｄが与える一定量の利得を低減することができる。すなわち、いくつかの実装において、制御器１２０は、（ダイバーシティＲＦモジュール３２０の増幅器３２４ａ〜３２４ｄのための）下流側増幅器制御信号を（ＤＲｘモジュール３１０の増幅器３１４ａ〜３１４ｄのための）増幅器制御信号に基づいて発生させ、かつ、送信線１３５を介して（ＤＲｘモジュール３１０の）出力に結合された一以上の下流側増幅器３２４ａ〜３２４ｄの利得を制御するべく構成される。いくつかの実装において、制御器１２０はまた、無線デバイスの、フロントエンドモジュール（ＦＥＭ）における増幅器のような他の部品の利得も増幅器制御信号に基づいて制御する。
【００４７】
上述のように、いくつかの実装において、帯域通過フィルタ３２３ａ〜３２３ｄは含まれない。すなわち、いくつかの実装において、下流側増幅器３２４ａ〜３２４ｄの少なくとも一つは、下流側帯域通過フィルタを通過することなく、送信線１３５を介して（ＤＲｘモジュール３１０の）出力に結合される。
【００４８】
図４は、いくつかの実施形態において、ダイバーシティ受信器構成４００が、ダイバーシティ受信器（ＤＲｘ）モジュール３１０よりも少ない増幅器を備えたダイバーシティＲＦモジュール４２０を含み得ることを示す。ダイバーシティ受信器構成４００は、図３を参照して上述されたダイバーシティアンテナ１４０及びＤＲｘモジュール３１０を含む。ＤＲｘモジュール３１０の出力が、送信線１３５を介してダイバーシティＲＦモジュール４２０へと通過する。ダイバーシティＲＦモジュール４２０は、図４のダイバーシティＲＦモジュール４２０がＤＲｘモジュール３１０よりも少ない増幅器を含む点で図３のダイバーシティＲＦモジュール３２０とは異なる。
【００４９】
上述のように、いくつかの実装において、ダイバーシティＲＦモジュール４２０は帯域通過フィルタを含まない。すなわち、いくつかの実装において、ダイバーシティＲＦモジュール４２０の一以上の増幅器４２４は帯域固有とする必要がない。特に、ダイバーシティＲＦモジュール４２０は一以上の経路を含み得る。各経路は、ＤＲｘモジュール３１０の経路に一対一でマッピングされない増幅器４２４を含む。かかる経路（又は対応する増幅器）のマッピングは、制御器１２０に記憶することができる。
【００５０】
したがって、ＤＲｘモジュール３１０が、それぞれが一周波数帯域に対応する一定数の経路を含む一方、ダイバーシティＲＦモジュール４２０は、単一周波数帯域に対応しない一以上の経路を含み得る。
【００５１】
（図４に示される）いくつかの実装において、ダイバーシティＲＦモジュール４２０は、送信線１３５から受信した信号を増幅して増幅済み信号をマルチプレクサ４２１に出力する単一広帯域増幅器４２４を含む。マルチプレクサ４２１は、それぞれが各周波数帯域に対応する複数のマルチプレクサ出力を含む。いくつかの実装において、ダイバーシティＲＦモジュール４２０はいずれの増幅器も含まない。
【００５２】
いくつかの実装において、ダイバーシティ信号は単一帯域信号である。すなわち、いくつかの実装において、マルチプレクサ４２１は、制御器１２０から受信した信号に基づいてダイバーシティ信号を、複数の出力の、単一帯域信号の周波数帯域に対応する一つへと引き回すＳＰＭＴスイッチである。いくつかの実装において、ダイバーシティ信号は多重帯域信号である。すなわち、いくつかの実装において、マルチプレクサ４２１は、制御器１２０から受信した分割器制御信号に基づいてダイバーシティ信号を、複数の出力の、多重帯域信号の２以上の周波数帯域に対応する２以上へと引き回す信号分割器である。いくつかの実装において、ダイバーシティＲＦモジュール４２０は、単一モジュールとして送受信器３３０と組み合わせることができる。
【００５３】
いくつかの実装において、ダイバーシティＲＦモジュール４２０は、それぞれが一組の周波数帯域に対応する多重増幅器を含む。送信線１３５からの信号は、第１経路に沿って高周波増幅器に高周波を出力しかつ第２経路に沿って低周波増幅器に低周波を出力する帯域分割器へと供給することができる。各増幅器の出力は、当該信号を送受信器３３０の対応入力へと引き回すべく構成されたマルチプレクサ４２１へと与えることができる。
【００５４】
図５は、いくつかの実施形態において、ダイバーシティ受信器構成５００が、オフモジュールフィルタ５１３に結合されたＤＲｘモジュール５１０を含み得ることを示す。ＤＲｘモジュール５１０は、複数の部品を受容するべく構成されたパッケージング基板５０１と、パッケージング基板５０１に実装された受信システムとを含み得る。ＤＲｘモジュール５１０は、ＤＲｘモジュール５１０から出るように引き回されて任意の所望帯域のためのフィルタをサポートするシステムインテグレータ、設計者又は製造者にとって利用可能とされた一以上の信号経路を含み得る。
【００５５】
ＤＲｘモジュール５１０は、ＤＲｘモジュール５１０の入力及び出力間に一定数の経路を含む。ＤＲｘモジュール５１０は、ＤＲｘ制御器５０２が制御するバイパススイッチ５１９によってアクティブにされる入力及び出力間のバイパス経路を含む。図５が単一のバイパススイッチ５１９を例示するにもかかわらず、いくつかの実装において、バイパススイッチ５１９は、多重スイッチ（例えば、入力の物理的近くに設けられた第１スイッチ、及び出力の物理的近くに設けられた第２スイッチ）を含み得る。図５に示されるように、バイパス経路は、フィルタ又は増幅器を含まない。
【００５６】
ＤＲｘモジュール５１０は、第１マルチプレクサ５１１及び第２マルチプレクサ５１２を含む一定数のマルチプレクサ経路を含む。マルチプレクサ経路は一定数のオンモジュール経路を含む。これは、第１マルチプレクサ５１１、パッケージング基板５０１に実装された帯域通過フィルタ３１３ａ〜３１３ｄ、パッケージング基板５０１に実装された増幅器３１４ａ〜３１４ｄ、及び第２マルチプレクサ５１２を含む。マルチプレクサ経路は一以上のオフモジュール経路を含む。これは、第１マルチプレクサ５１１、パッケージング基板５０１の外に実装された帯域通過フィルタ５１３、増幅器５１４、及び第２マルチプレクサ５１２を含む。増幅器５１４は、パッケージング基板５０１に実装された広帯域増幅器とすることができ、又はパッケージング基板５０１の外に実装することもできる。上述のように、増幅器３１４ａ〜３１４ｄ、５１４は、可変利得増幅器及び／又は可変電流増幅器とすることができる。
【００５７】
ＤＲｘ制御器５０２は、入力及び出力間の複数の経路の一以上を選択的にアクティブにするべく構成される。いくつかの実装において、ＤＲｘ制御器５０２は、ＤＲｘ制御器５０２が（例えば通信制御器から）受信した帯域選択信号に基づき複数の経路の一以上を選択的にアクティブにするべく構成される。ＤＲｘ制御器５０２は、例えば、バイパススイッチ５１９の開閉により、増幅器３１４ａ〜３１４ｄ、５１４のイネーブル又はディセーブルにより、マルチプレクサ５１１、５１２の制御により、又は他のメカニズムを介して当該経路を選択的にアクティブにすることができる。例えば、ＤＲｘ制御器５０２は、（例えば、フィルタ３１３ａ〜３１３ｄ、５１３と増幅器３１４ａ〜３１４ｄ、５１４との間の）経路沿いのスイッチを開閉すること、又は増幅器３１４ａ〜３１４ｄ、５１４の利得を実質的にゼロに設定することができる。
【００５８】
図６は、いくつかの実施形態において、ダイバーシティ受信器構成６００が、チューニング可能整合回路を備えたＤＲｘモジュール６１０を含み得ることを示す。特に、ＤＲｘモジュール６１０は、ＤＲｘモジュール６１０の入力及び出力の一以上に設けられた一以上のチューニング可能整合回路を含み得る。
【００５９】
同じダイバーシティアンテナ１４０において受信した多重周波数帯域のすべてが、理想的なインピーダンス整合である可能性は低い。コンパクト整合回路を使用して各周波数帯域を整合させるべく、チューニング可能入力整合回路６１６をＤＲｘモジュール６１０の入力に実装して（例えば通信制御器からの帯域選択信号に基づき）ＤＲｘ制御器６０２によって制御することができる。ＤＲｘ制御器６０２は、チューニング可能入力整合回路６１６を、複数の周波数帯域（又は複数組の周波数帯域）をチューニングパラメータに関連付けるルックアップテーブルに基づいてチューニングすることができる。チューニング可能入力整合回路６１６は、チューニング可能Ｔ型回路、チューニング可能π型回路又は任意の他のチューニング可能整合回路とすることができる。特に、チューニング可能入力整合回路６１６は、抵抗器、インダクタ及びキャパシタのような一以上の可変部品を含み得る。これらの可変部品は、並列及び／又は直列に接続してＤＲｘモジュール６１０の入力と第１マルチプレクサ３１１の入力との間に接続し又はＤＲｘモジュール６１０の入力と接地電圧との間に接続することができる。
【００６０】
同様に、多くの周波数帯域の信号を搬送する一つのみの送信線１３５（又は少なくともいくつかのケーブル）によっては、多重周波数帯域すべてが理想的なインピーダンス整合となる可能性は低い。コンパクト整合回路を使用して各周波数帯域を整合させるべく、チューニング可能出力整合回路６１７をＤＲｘモジュール６１０の出力に実装して（例えば通信制御器からの帯域選択信号に基づき）ＤＲｘ制御器６０２によって制御することができる。ＤＲｘ制御器６０２は、チューニング可能出力整合回路６１８を、複数の周波数帯域（又は複数組の周波数帯域）をチューニングパラメータに関連付けるルックアップテーブルに基づいてチューニングすることができる。チューニング可能出力整合回路６１７は、チューニング可能Ｔ型回路、チューニング可能π型回路、又は任意の他のチューニング可能整合回路とすることができる。特に、チューニング可能出力整合回路６１７は、抵抗器、インダクタ及びキャパシタのような一以上の可変部品を含み得る。これらの可変部品は、並列及び／又は直列に接続してＤＲｘモジュール６１０の出力と第２マルチプレクサ３１２の出力との間に接続し又はＤＲｘモジュール６１０の出力と接地電圧との間に接続することができる。
【００６１】
図７は、いくつかの実施形態において、ダイバーシティ受信器構成７００が多重送信線を含み得ることを示す。図７が２つの送信線７３５ａ〜７３５ｂ及び一つのアンテナ１４０を備えた実施形態を例示するにもかかわらず、ここに記載される側面は、２以上の送信線及び／又は（以下にさらに詳述される）２以上のアンテナを備えた実施形態に実装することができる。
【００６２】
ダイバーシティ受信器構成７００は、アンテナ１４０に結合されたＤＲｘモジュール７１０を含む。ＤＲｘモジュール７１０は、ＤＲｘモジュール７１０の入力（例えばアンテナ１４０ａに結合された入力）と当該ＤＲｘモジュールの出力（例えば第１送信線７３５ａに結合された第１出力、又は第２送信線７３５ｂに結合された第２出力）との間に一定数の経路を含む。いくつかの実装において、ＤＲｘモジュール７１０は、ＤＲｘ制御器７０２が制御する一以上のバイパススイッチによってアクティブにされる入力及び出力間の一以上のバイパス経路（図示せず）を含む。
【００６３】
ＤＲｘモジュール７１０は、入力マルチプレクサ３１１及び出力マルチプレクサ７１２を含む一定数のマルチプレクサ経路を含む。マルチプレクサ経路は、入力マルチプレクサ３１１、帯域通過フィルタ３１３ａ〜３１３ｄ、増幅器３１４ａ〜３１４ｄ及び出力マルチプレクサ７１２を含む一定数のオンモジュール経路（図示）を含む。マルチプレクサ経路は、上述のような一以上のオフモジュール経路（図示せず）を含み得る。またも上述のように、増幅器３１４ａ〜３１４ｄは、可変利得増幅器及び／又は可変電流増幅器とすることができる。
【００６４】
ＤＲｘ制御器７０２は、入力及び出力間の複数の経路の一以上を選択的にアクティブにするべく構成される。いくつかの実装において、ＤＲｘ制御器７０２は、ＤＲｘ制御器７０２が（例えば通信制御器から）受信した帯域選択信号に基づき複数の経路の一以上を選択的にアクティブにするべく構成される。ＤＲｘ制御器７０２は、例えば、上述のような増幅器３１４ａ〜３１４ｄのイネーブル又はディセーブルにより、マルチプレクサ３１１、７１２の制御により、又は他のメカニズムを介して当該経路を選択的にアクティブにすることができる。
【００６５】
多重送信線７３５ａ〜７３５ｂを良好に利用するべくＤＲｘ制御器７０２は、帯域選択信号に基づき出力マルチプレクサ７１２を制御して、経路に沿って伝播する各信号を、送信線７３５ａ〜７３５ｂ（又は送信線７３５ａ〜７３５ｂに対応する出力マルチプレクサ出力）の選択された一つへと引き回すことができる。
【００６６】
いくつかの実装において、受信信号が単一周波数帯域を含むことを帯域選択信号が指示する場合、ＤＲｘ制御器７０２は出力マルチプレクサ７１２を制御して、対応経路を伝播する信号をデフォルト送信線へと引き回すことができる。デフォルト送信線は、送信線７３５ａ〜７３５ｂの一つが短い、雑音導入が少ない、又はその他好ましいといった場合、すべての経路（及び対応周波数帯域）にとって同じとすることができる。デフォルト送信線は、異なる経路に対して異なり得る。例えば、低周波帯域に対応する経路を第１送信線７３５ｂへと引き回し、高周波帯域に対応する経路を第２送信線７３５ｂへと引き回すことができる。
【００６７】
すなわち、ＤＲｘ制御器７０２は、入力マルチプレクサ３１１において受信した一以上のＲＦ信号が単一周波数帯域であることを指示する帯域選択信号に応答して第２マルチプレクサ７１２を制御し、当該単一周波数帯域に対応する出力マルチプレクサ入力において受信した増幅済みＲＦ信号をデフォルト出力マルチプレクサ出力へと引き回すべく構成することができる。上述のように、デフォルト出力マルチプレクサ出力は、異なる単一周波数帯域に対して異なり又はすべての周波数帯域に対して同じとすることができる。
【００６８】
いくつかの実装において、受信信号が２つの周波数帯域を含むことを帯域選択信号が指示する場合、ＤＲｘ制御器７０２は出力マルチプレクサ７１２を制御し、第１周波数帯域に対応する経路に沿って伝播する信号を第１送信線７３５ａへと引き回し、第２周波数帯域に対応する経路に沿って伝播する信号を第２送信線７３５ｂへと引き回すことができる。すなわち、２つの周波数帯域が双方とも高周波帯域（又は低周波帯域）であっても、対応経路に沿って伝播する信号は、異なる送信線へと引き回すことができる。同様に、３以上の送信線の場合、３以上の周波数帯域それぞれを、異なる送信線へと引き回すことができる。
【００６９】
すなわち、ＤＲＸ制御器７０２は、入力マルチプレクサ３１１において受信した一以上のＲＦ信号が第１周波数帯域及び第２周波数帯域を含むことを指示する帯域選択信号に応答して第２マルチプレクサ７１２を制御し、第１周波数帯域に対応する出力マルチプレクサ入力において受信した増幅済みＲＦ信号を第１出力マルチプレクサ出力へと引き回し、第２周波数帯域に対応する出力マルチプレクサ入力において受信した増幅済みＲＦ信号を第２出力マルチプレクサ出力へと引き回すべく構成することができる。上述のように、第１周波数帯域及び第２周波数帯域は双方とも、高周波帯域又は低周波帯域とすることができる。
【００７０】
いくつかの実装において、受信信号が３つの周波数帯域を含むことを帯域選択信号が示す場合、ＤＲｘ制御器７０２は出力マルチプレクサ７１２を制御して当該周波数帯域の２つに対応する２つの経路に沿って伝播する信号の２つを結合し、当該結合信号を当該送信線の一方に沿って引き回し、第３周波数帯域に対応する経路に沿って伝播する信号を当該送信線の他方に沿って引き回すことができる。いくつかの実装において、ＤＲｘ制御器７０２は出力マルチプレクサ７１２し、３つの周波数帯域の、互いに最も近い２つ（例えば双方とも低周波帯域又は双方とも高周波帯域）を結合する。かかる実装は、ＤＲｘモジュール７１０の出力又は下流側モジュールの入力におけるインピーダンス整合を簡略化することができる。いくつかの実装において、ＤＲｘ制御器７０２は出力マルチプレクサ７１２を制御して３つの周波数帯域の、最も離れた２つを結合する。かかる実装は、下流側モジュールにおける周波数帯域の分離を簡略化することができる。
【００７１】
すなわち、ＤＲｘ制御器７０２は、入力マルチプレクサ３１１において受信した一以上のＲＦ信号が第１周波数帯域、第２周波数帯域及び第３周波数帯域を含むことを指示する帯域選択信号に応答して第２マルチプレクサ７１２を制御し、（ａ）第１周波数帯域に対応する出力マルチプレクサ入力において受信した増幅済みＲＦ信号と、第２周波数帯域に対応する出力マルチプレクサ入力において受信した増幅済みＲＦ信号とを結合して結合信号を発生させ、（ｂ）当該結合信号を第１出力マルチプレクサ出力へと引き回し、及び（ｃ）第３周波数帯域に対応する出力マルチプレクサ入力において受信した増幅済みＲＦ信号を第２出力マルチプレクサ出力へと引き回すべく構成することができる。上述のように、第１周波数帯域及び第２周波数帯域は、３つの周波数帯域の、互いに最も近いもの又は最も離れたものとすることができる。
【００７２】
いくつかの実装において、受信信号が４つの周波数帯域を含むことを帯域選択信号が指示する場合、ＤＲｘ制御器７０２は出力マルチプレクサ７１２を制御し、当該周波数帯域の２つに対応する２つの経路に沿って伝播する信号の２つを結合して第１結合信号を当該送信線の一方に沿って引き回し、当該周波数帯域の他の２つに対応する２つの経路に沿って伝播する信号の２つを引き回して第２結合信号を当該送信線の他方に沿って引き回すことができる。いくつかの実装において、ＤＲｘ制御器７０２は出力マルチプレクサ７１２を制御し、当該周波数帯域の３つに対応する３つの経路に沿って伝播する信号の３つを結合して当該結合信号を当該送信線の一方に沿って引き回し、第４周波数帯域に対応する経路に沿って伝播する信号を当該送信線の他方に沿って引き回すことができる。かかる実装は、周波数帯域の３つが互いに近く（例えばすべてが低周波帯域）かつ第４周波数帯域が離れている（例えば高周波帯域）場合に有利となり得る。
【００７３】
一般に、受信信号が、存在する送信線よりも多くの周波数帯域を含むことを帯域選択信号が指示する場合、ＤＲｘ制御器７０２は出力マルチプレクサ７１２を制御し、当該周波数帯域の２以上に対応する２以上の経路に沿って伝播する信号の２以上を結合して当該結合信号を当該送信線の一方へと引き回すことができる。ＤＲｘ制御器７０２は、出力マルチプレクサ７１２して、互いに最も近い又は最も離れた周波数帯域を結合することができる。
【００７４】
すなわち、経路の一つに沿って伝播する信号は、出力マルチプレクサ７１２によって、他の経路に沿って伝播する他の信号に応じて送信線の異なる一つへと引き回すことができる。一例では、第３増幅器３１４ｃを通過する第３経路に沿って伝播する信号は、第３経路のみがアクティブな経路である場合には第２送信線７３５ｂへと引き回し、（第４増幅器３１４ｄを通過する）第４経路もアクティブである場合には第１送信線７３５ａへと引き回す（かつ第２送信線７３５ｂへと引き回す）ことができる。
【００７５】
すなわち、ＤＲｘ制御器７０２は、第１帯域選択信号に応答して出力マルチプレクサ７１２を制御し、出力マルチプレクサ入力において受信した増幅済みＲＦ信号を第１出力マルチプレクサ出力へと引き回し、第２帯域選択信号に応答して当該出力マルチプレクサを制御し、出力マルチプレクサ入力において受信した増幅済みＲＦ信号を第２出力マルチプレクサ出力へと引き回すべく構成することができる。
【００７６】
すなわち、ＤＲｘモジュール７１０は、複数の増幅器３１４ａ〜３１４ｄを含む受信システムを構成する。複数の増幅器３１４ａ〜３１４ｄの各一つは、受信システムの入力（例えばアンテナ１４０に結合されたＤＲｘモジュール７１０の入力及び／又は他のアンテナに結合されたＤＲｘモジュール７１０の付加入力）と受信システムの出力（例えば送信線７３５ａ〜７３５ｂに結合されたＤＲｘモジュール７１０の出力及び／又は他の送信線に結合されたＤＲｘモジュール７１０の付加出力）との間にある複数の経路の一つの対応経路に沿って設けられる。増幅器３１４ａ〜３１４ｄの各一つは、増幅器３１４ａ〜３１４ｄにおいて受信したＲＦ信号を増幅するべく構成される。
【００７７】
ＤＲｘモジュール７１０はさらに、一以上の入力マルチプレクサ入力において一以上のＲＦ信号を受信して当該一以上のＲＦ信号の各一つを、複数の入力マルチプレクサ出力の一以上それぞれへと出力して複数の経路の一以上それぞれに沿って伝播させるべく構成された入力マルチプレクサ３１１を含む。いくつかの実装において、ＤＲｘモジュール７１０は、単一入力マルチプレクサ入力において単一ＲＦ信号を受信し、ＤＲｘ制御器７０２によって当該単一ＲＦ信号を、帯域選択信号において指示された各周波数帯域に対応する当該複数の入力マルチプレクサ出力の一以上へと出力するべく制御される。いくつかの実装において、ＤＲｘモジュール７１０は、多重入力マルチプレクサ入力において多重ＲＦ信号（それぞれが、帯域選択信号において指示された異なる組の一以上の周波数帯域に対応）を受信し、ＤＲｘ制御器７０２によって当該多重ＲＦ信号のそれぞれを、各ＲＦ信号の当該組の一以上の周波数帯域に対応する当該複数の入力マルチプレクサ出力の一以上へと出力するべく制御される。すなわち、入力マルチプレクサ３１１は一般に、それぞれが一以上の周波数帯域に対応する一以上のＲＦ信号を受信し、ＤＲｘ制御器によって各ＲＦ信号を、当該ＲＦ信号の一以上の周波数帯域に対応する一以上の経路に沿って引き回すべく制御される。
【００７８】
ＤＲｘモジュール７１０はさらに、複数の経路の一以上それぞれに沿って伝播する一以上の増幅済みＲＦ信号を出力マルチプレクサ入力の一以上それぞれにおいて受信し、当該一以上の増幅済みＲＦ信号のそれぞれを（それぞれが複数の出力送信線７３５ａ〜７３５ｂの一つに結合された）複数の出力マルチプレクサ出力の選択された一つへと出力するべく構成された出力マルチプレクサ７１２を含む。
【００７９】
ＤＲｘモジュール７１０はさらに、帯域選択信号を受信し、当該帯域選択信号に基づいて入力マルチプレクサ及び出力マルチプレクサを制御するべく構成されたＤＲｘ制御器７０２を含む。上述のように、ＤＲｘ制御器７０２は入力マルチプレクサを制御し、一以上の周波数帯域に対応する一以上のＲＦ信号のそれぞれを、当該ＲＦ信号の一以上の周波数帯域に対応する一以上の経路に沿って引き回す。またも上述のように、ＤＲｘ制御器７０２は出力マルチプレクサを制御し、一以上の経路に沿って伝播する一以上の増幅済みＲＦ信号を、ＤＲｘモジュール７１０に結合された送信線７３５ａ〜７３５ｂを良好に利用するべく、複数の出力マルチプレクサ出力の選択された一つへと引き回す。
【００８０】
いくつかの実装において、受信信号が多重周波数帯域を含むことを帯域選択信号が指示する場合、ＤＲｘ制御器７０２は出力マルチプレクサ７１２を制御し、多重周波数帯域に対応する経路に沿って伝播する信号すべてを結合して当該結合信号を送信線の一方へと引き回す。かかる実装は、他方の送信線が使用不能（例えば損傷又は特定の無線通信構成に不存在）の場合に使用することができ、ＤＲｘ制御器７０２が（例えば通信制御器から）受信した当該送信線の一方が使用不能との制御器信号に応答して実装することができる。
【００８１】
すなわち、ＤＲｘ制御器７０２は、入力マルチプレクサ３１１において受信した一以上のＲＦ信号が多重周波数帯域を含むことを指示する帯域選択信号に応答しかつ送信線が使用不能であることを指示する制御器信号に応答して出力マルチプレクサ７１２を制御し、多重周波数帯域に対応する多重出力マルチプレクサ入力において受信した多重増幅済みＲＦ信号を結合して結合信号を発生させ、当該結合信号を出力マルチプレクサ出力へと引き回すべく構成することができる。
【００８２】
図８は、動的引き回しを目的として使用することができる出力マルチプレクサ８１２の一実施形態を示す。出力マルチプレクサ８１２は、複数の周波数帯域に対応する複数の経路に沿って設けられた増幅器にそれぞれが結合され得る複数の入力８０１ａ〜８０１ｄを含む。出力マルチプレクサ８１２は、それぞれが複数の送信線に結合され得る複数の出力８０２ａ〜８０２ｂを含む。出力８０２ａ〜８０２ｂそれぞれは、結合器８２０ａ〜８２０ｂそれぞれの出力に結合される。入力８０１ａ〜８０１ｄそれぞれは、一組の単極／単投（ＳＰＳＴ）スイッチ８３０の一つを介して結合器８２０ａ〜８２０ｂそれぞれの入力に結合される。スイッチ８３０は、ＤＲｘ制御器に結合され得る制御バス８０３を介して制御可能である。
【００８３】
図９は、動的引き回しを目的として使用することができる出力マルチプレクサ９１２の他実施形態を示す。出力マルチプレクサ９１２は、複数の周波数帯域に対応する複数の経路に沿って設けられた増幅器にそれぞれが結合され得る複数の入力９０１ａ〜９０１ｄを含む。出力マルチプレクサ９１２は、それぞれが複数の送信線に結合され得る複数の出力９０２ａ〜９０２ｂを含む。出力９０２ａ〜９０２ｂそれぞれは、結合器９２０ａ〜９２０ｂそれぞれの出力に結合される。第１入力９０１ａは第１結合器９２０ａの入力に結合され、第４入力９０１ｄは第２結合器９２０ｄの入力に結合される。第２入力９０１ｂは、結合器９２０ａ〜９２０ｂのそれぞれに結合された出力を有する第１単極／多投（ＳＰＭＴ）スイッチ９３０ａに結合される。同様に、第３入力９０１ｃは、結合器９２０ａ〜９２０ｂのそれぞれに結合された出力を有する第２ＳＰＭＴスイッチ９３０ｂに結合される。スイッチ９３０ａ〜９３０ｂは、ＤＲｘ制御器に結合された制御バス９０３を介して制御可能である。
【００８４】
図８の出力マルチプレクサ８１２とは異なり、図９の出力マルチプレクサ９１２は、入力９０１ａ〜９０１ｄそれぞれが出力９０２ａ〜９０２ｂのいずれかへと引き回されることを許容しない。むしろ、第１入力９０１ａは固定的に第１出力９０２ａへと引き回され、第４入力９０２ｄは固定的に第２出力９０２ｂへと引き回される。かかる実装は、制御バス９０３のサイズを低減し、又は制御バス９０３に取り付けられたＤＲｘ制御器の制御ロジックを簡略化することができる。
【００８５】
図８の出力マルチプレクサ８１２及び図９の出力マルチプレクサ９１２は双方とも、第１出力マルチプレクサ出力８０２ａ、９０２ａに結合された第１結合器８２０ａ、９２０ａと、第２出力マルチプレクサ出力８０２ｂ、９０２ｂに結合された第２結合器８２０ｂ、９２０ｂとを含む。さらに、図８の出力マルチプレクサ８１２及び図９の出力マルチプレクサ９１２の双方は、（ＤＲｘ制御器により制御可能な）一以上のスイッチを介して第１結合器８２０ａ、９２０ａ及び第２結合器８２０ｂ、９２０ｂの双方に結合された出力マルチプレクサ入力８０１ｂ、９０１ｂを含む。図８の出力マルチプレクサ８１２において、出力マルチプレクサ入力８０１ｂは、２つのＳＰＳＴスイッチを介して第１結合器８２０ａ及び第２結合器８２０ｂに結合される。図９の出力マルチプレクサ９１２において、出力マルチプレクサ入力９０１ｂは、単一のＳＰＭＴスイッチを介して第１結合器９２０ａ及び第２結合器８２０ｂに結合される。
【００８６】
図１０は、いくつかの実施形態において、ダイバーシティ受信器構成１０００が多重アンテナ１０４０ａ〜１０４０ｂを含み得ることを示す。図１０が一つの送信線１３５及び２つのアンテナ１０４０ａ〜１０４０ｂを備えた一実施形態を例示するにもかかわらず、ここに記載される側面は、２以上の送信線及び／又は２を超えるアンテナを備えた実施形態に実装することができる。
【００８７】
ダイバーシティ受信器構成１０００は、第１アンテナ１０４０ａ及び第２アンテナ１０４０ｂに結合されたＤＲｘモジュール１０１０を含む。ＤＲｘモジュール１０１０は、ＤＲｘモジュール１０１０の入力（例えば第１アンテナ１０４０ａに結合された第１入力、又は第２アンテナ１０４０ｂに結合された第２入力）と当該ＤＲｘモジュールの出力（例えば送信線１３５に結合された出力）との間に一定数の経路を含む。いくつかの実装において、ＤＲｘモジュール１０１０は、ＤＲｘ制御器１００２が制御する一以上のバイパススイッチによってアクティブにされる入力及び出力間の一以上のバイパス経路（図示せず）を含む。
【００８８】
ＤＲｘモジュール１０１０は、入力マルチプレクサ１０１１及び出力マルチプレクサ３１２を含む一定数のマルチプレクサ経路を含む。マルチプレクサ経路は、入力マルチプレクサ１０１１、帯域通過フィルタ３１３ａ〜３１３ｄ、増幅器３１４ａ〜３１４ｄ及び出力マルチプレクサ３１２を含む一定数のオンモジュール経路（図示）を含む。マルチプレクサ経路は、上述のように、一以上のオフモジュール経路（図示せず）を含み得る。またも上述のように、増幅器３１４ａ〜３１４ｄは可変利得増幅器及び／又は可変電流増幅器とすることができる。
【００８９】
ＤＲｘ制御器１００２は、複数の経路の一以上を選択的にアクティブにするべく構成される。いくつかの実装において、ＤＲｘ制御器１００２は、複数の経路の一以上を、ＤＲｘ制御器１００２が（例えば通信制御器から）受信した帯域選択信号に基づいて選択的にアクティブにするべく構成される。ＤＲｘ制御器１００２は、例えば、上述のような増幅器３１４ａ〜３１４ｄのイネーブル又はディセーブルにより、マルチプレクサ１０１１、３１２の制御により、又は他のメカニズムを介して当該経路を選択的にアクティブにすることができる。
【００９０】
様々なダイバーシティ受信器構成において、アンテナ１０４０ａ〜１０４０ｂは様々な周波数帯域をサポートすることができる。例えば、一つの実装において、ダイバーシティ受信器構成は、低周波帯域及び中間周波帯域をサポートする第１アンテナ１０４０ａと、高周波帯域をサポートする第２アンテナ１０４０ｂとを含み得る。他のダイバーシティ受信器構成は、低周波帯域をサポートする第１アンテナ１０４０ａと、中間周波帯域及び高周波帯域をサポートする第２アンテナ１０４０ｂとを含み得る。さらなる他のダイバーシティ受信器構成は、低周波帯域、中間周波帯域及び高周波帯域をサポートする第１広帯域アンテナ１０４０ａのみを含み、第２アンテナ１０４０ｂをなしとすることができる。
【００９１】
これらのダイバーシティ受信器構成すべてに対し、（例えば通信制御器から受信した又は永久メモリ若しくは他のハードワイヤー構成に記憶されてこれらから読み出される）アンテナ設定信号に基づくＤＲｘ制御器１００２による入力マルチプレクサ１０１１の制御を介して同じＤＲｘモジュール１０１０を使用することができる。
【００９２】
いくつかの実装において、ダイバーシティ受信器構成１０００が単一のアンテナ１０４０ａのみを含むことをアンテナ設定信号が指示する場合、ＤＲｘ制御器１００２は入力マルチプレクサを制御し、単一のアンテナ１０４０ａにおいて受信した信号を、経路すべて（又は帯域選択信号が指示するアクティブ経路すべて）へと引き回すことができる。
【００９３】
すなわち、ＤＲｘ制御器１００２は、ダイバーシティ受信器構成が単一アンテナを含むことを指示するアンテナ設定信号に応答して入力マルチプレクサを制御し、単一入力マルチプレクサ入力において受信したＲＦ信号を、当該ＲＦ信号の一以上の周波数帯域に関連付けられた複数の入力マルチプレクサ出力すべて又は複数の入力マルチプレクサ出力すべてへと引き回すべく構成することができる。
【００９４】
いくつかの実装において、ダイバーシティ受信器構成１０００が低周波帯域をサポートする第１アンテナ１０４０ａと中間周波帯域及び高周波帯域をサポートする第２アンテナ１０４０ｂとを含むことをアンテナ設定信号が指示する場合、ＤＲｘ制御器１００２は入力マルチプレクサ１０１１を制御し、第１アンテナ１０４０ａにおいて受信した信号を第１経路（第１増幅器３１４ａを含む）へと引き回し、第２アンテナ１０４０ｂにおいて受信した信号を、第２経路（第２増幅器３１４ｂを含む）、第３経路（第３増幅器３１４ｃを含む）、及び第４経路（第４増幅器３１４ｄを含む）、又は少なくとも帯域選択信号によってアクティブであることが指示された経路へと引き回すことができる。
【００９５】
いくつかの実装において、ダイバーシティ受信器構成１０００が低周波帯域及び低中間周波帯域をサポートする第１アンテナ１０４０ａと高中間周波帯域及び高周波帯域をサポートする第２アンテナ１０４０ｂとを含むことをアンテナ設定信号が指示する場合、ＤＲｘ制御器１００２は入力マルチプレクサ１０１１を制御し、第１アンテナ１０４０ａにおいて受信した信号を第１経路及び第２経路へと引き回し、第２アンテナ１０４０ｂにおいて受信した信号を第３経路及び第４経路又は少なくとも帯域選択信号によってアクティブであることが指示された経路へと引き回すことができる。
【００９６】
いくつかの実装において、ダイバーシティ受信器構成１０００が低周波帯域及び中間周波帯域をサポートする第１アンテナ１０４０ａと高周波帯域をサポートする第２アンテナ１０４０ｂとを含むことをアンテナ設定信号が指示する場合、ＤＲｘ制御器１００２は入力マルチプレクサ１０１１を制御し、第１アンテナ１０４０ａにおいて受信した信号を第１経路、第２経路及び第３経路へと引き回し、第２アンテナ１０４０ｂにおいて受信した信号を第４経路又は少なくとも帯域選択信号によってアクティブであることが指示された経路へと引き回すことができる。
【００９７】
すなわち、特定の経路（例えば第３経路）に沿って伝播する信号を、（アンテナ設定信号が指示する）ダイバーシティ受信器構成に応じて、入力マルチプレクサ１０１１によって（アンテナ１０４０ａ〜１０４０ｂの一つに結合された）入力マルチプレクサ入力の異なるものから引き回すことができる。
【００９８】
すなわち、ＤＲｘ制御器１００２は、第１アンテナ設定信号に応答して入力マルチプレクサ１０１１を制御し、第１入力マルチプレクサ入力において受信したＲＦ信号を入力マルチプレクサ出力へと引き回し、第２アンテナ設定信号に応答して入力マルチプレクサ１０１１を制御し、第２入力マルチプレクサ入力において受信したＲＦ信号を当該入力マルチプレクサ出力へと引き回すべく構成することができる。
【００９９】
ＤＲｘ制御器１００２は一般に、入力マルチプレクサ１０１１を制御し、それぞれが一以上の周波数帯域を含む受信信号を一以上の周波数帯域に対応する経路に沿って引き回すべく構成することができる。いくつかの実装において、入力マルチプレクサ１０１１はさらに、一以上の周波数帯域のそれぞれを当該一以上の周波数帯域に対応する経路に沿って出力する帯域分割器として機能することができる。一例では、かかる帯域分割器は、入力マルチプレクサ１０１１及び帯域通過フィルタ３１３ａ〜３１３ｄによって構成される。他の実装において（以下にさらに詳述されるように）、帯域通過フィルタ３１３ａ〜３１３ｄ及び入力マルチプレクサ１０１１は、帯域分割器を形成するべく他の態様で統合することもできる。
【０１００】
図１１は、動的引き回しを目的として使用することができる入力マルチプレクサ１１１１の一実施形態を示す。入力マルチプレクサ１１１１は、それぞれが一以上のアンテナに結合され得る複数の入力１１０１ａ〜１１０１ｂを含む。入力マルチプレクサ１１１１は、（例えば帯域通過フィルタを介して）複数の周波数帯域に対応する複数の経路に沿って設けられた増幅器にそれぞれが結合された複数の出力１１０２ａ〜１１０２ｄを含む。入力１１０１ａ〜１１０１ｂの各一つは、一組の単極／単投（ＳＰＳＴ）スイッチ１１３０を介して出力１１０２ａ〜１１０２ｄのそれぞれに結合される。スイッチ１１３０は、ＤＲｘ制御器に結合され得る制御バス１１０３を介して制御可能である。
【０１０１】
図１２は、動的引き回しを目的として使用することができる入力マルチプレクサ１２１１の他実施形態を示す。入力マルチプレクサ１２１１は、それぞれが一以上のアンテナに結合され得る複数の入力１２０１ａ〜１２０１ｂを含む。入力マルチプレクサ１２１１は、（例えば帯域通過フィルタを介して）複数の周波数帯域に対応する複数の経路に沿って設けられた増幅器にそれぞれが結合された複数の出力１２０２ａ〜１２０２ｄを含む。第１入力１２０１ａは、第１出力１２０２ａ、第１多極／単投（ＭＰＳＴ）スイッチ１２３０ａ及び第２ＭＰＳＴスイッチ１２３０ｂに結合される。第２入力１２０１ｂは、第１ＭＰＳＴスイッチ１２３０ａ、第２ＭＰＳＴスイッチ１２３０ｂ及び第４出力１２０２ｄに結合される。スイッチ１２３０ａ〜１２３０ｂは、ＤＲｘ制御器に結合された制御バス１２０３を介して制御可能である。
【０１０２】
図１１の入力マルチプレクサ１１１１とは異なり、図１２の出力マルチプレクサ１２１１は、入力１２０１ａ〜１２０１ｂそれぞれが出力１２０２ａ〜１２０２ｄのいずれかへと引き回されることを許容しない。むしろ、第１入力１２０１ａは固定的に第１出力１２０２ａへと引き回され、第２入力１２０１ｂは固定的に第４出力１２０２ｄへと引き回される。かかる実装は、制御バス９０３のサイズを低減し、又は制御バス９０３に取り付けられたＤＲｘ制御器の制御ロジックを簡略化することができる。それにもかかわらず、ＤＲｘ制御器は、アンテナ設定信号に基づいてスイッチ１２３０ａ〜１２３０ｂを制御し、入力１２０１ａ〜１２０１ｂいずれかからの信号を第２出力１２０２ｂ及び／又は第３出力１２０２ｃへと引き回すこともできる。
【０１０３】
図１１の入力マルチプレクサ１１１１及び図１２の入力マルチプレクサ１２１１は多極／多投（ＭＰＭＴ）スイッチとして動作する。いくつかの実装において、入力マルチプレクサ１１１１、１２１１は、挿入損失を低減するフィルタ又は整合部品を含む。かかるフィルタ又は整合部品は、ＤＲｘモジュールの他の部品（例えば図１０の帯域通過フィルタ３１３ａ〜３１３ｄ）とともに協調して設計することができる。例えば、入力マルチプレクサ及び帯域通過フィルタは、合計部品数を低減するべく単一部品として統合することができる。他例では、入力マルチプレクサは、特定の出力インピーダンス（例えば５０オームではないもの）のために設計することができ、帯域通過フィルタは、このインピーダンスを整合するべく設計することができる。
【０１０４】
図１３ａ〜１３Ｆは、動的入力引き回し及び／又は出力引き回しを備えたＤＲｘモジュールの様々な実装を示す。図１３Ａは、いくつかの実施形態において、ＤＲｘモジュール１３１０が単一入力及び２つの出力を含み得ることを示す。ＤＲｘモジュール１３１０は帯域分割器として、入力信号を低周波帯域並びに中間及び高周波帯域に分割する高域／低域ダイプレクサ１３１１、２極／８投スイッチ１３１２（第１単極／３投スイッチ及び第２単極／５投スイッチとして実装）、並びに様々なフィルタ及び帯域分割ダイプレクサを含む。上述のように、高域／低域ダイプレクサ１３１１並びに様々なフィルタ及び帯域分割ダイプレクサは協調して設計することができる。
【０１０５】
図１３Ｂは、いくつかの実施形態において、ＤＲｘモジュール１３２０が単一入力及び単一出力を含み得ることを示す。ＤＲｘモジュール１３２０は帯域分割器として、入力信号を低周波帯域並びに中間及び高周波帯域に分割する高域／低域ダイプレクサ１３２１、２極／８投スイッチ１３２２（第１単極／３投スイッチ及び第２単極／５投スイッチとして実装）、並びに様々なフィルタ及び帯域分割ダイプレクサを含む。上述のように、高域／低域ダイプレクサ１３２１並びに様々なフィルタ及び帯域分割ダイプレクサは協調して設計することができる。ＤＲｘモジュール１３２０は出力マルチプレクサとして、２つの入力において受信した信号をフィルタリングかつ結合して当該結合信号を出力する高域／低域結合器１３２３を含む。
【０１０６】
図１３Ｃは、いくつかの実施形態において、ＤＲｘモジュール１３３０が２つの入力及び３つの出力を含み得ることを示す。ＤＲｘモジュール１３３０は帯域分割器として、入力信号を低周波帯域並びに中間及び高周波帯域に分割する高域／低域ダイプレクサ１３３１、３極／８投スイッチ１３３２（第１単極／３投スイッチと第２単極／２投スイッチと第３単極／３投スイッチとして実装）、並びに様々なフィルタ及び帯域分割ダイプレクサを含む。上述のように、高域／低域ダイプレクサ１３３１並びに様々なフィルタ及び帯域分割ダイプレクサは協調して設計することができる。
【０１０７】
図１３Ｄは、いくつかの実施形態において、ＤＲｘモジュール１３４０が２つの入力及び２つの出力を含み得ることを示す。ＤＲｘモジュール１３４０は帯域分割器として、入力信号を低周波帯域並びに中間及び高周波帯域に分割する高域／低域ダイプレクサ１３４１、３極／８投スイッチ１３４２（第１単極／３投スイッチと第２単極／２投スイッチと第３単極／３投スイッチとして実装）、並びに様々なフィルタ及び帯域分割ダイプレクサを含む。上述のように、高域／低域ダイプレクサ１３４１並びに様々なフィルタ及び帯域分割ダイプレクサは協調して設計することができる。ＤＲｘモジュール１３４０は出力マルチプレクサの一部として、２つの入力において受信した信号をフィルタリングかつ結合して当該結合信号を出力する高域／低域結合器１３４３を含む。
【０１０８】
図１３Ｅは、いくつかの実施形態において、ＤＲｘモジュール１３５０が多極／多投スイッチ１３５２を含み得ることを示す。ＤＲｘモジュール１３４０は帯域分割器として、入力信号を低周波帯域並びに中間及び高周波帯域に分割する高域／低域ダイプレクサ１３５１、３極／８投スイッチ１３５２、並びに様々なフィルタ及び帯域分割ダイプレクサを含む。上述のように、高域／低域ダイプレクサ１３４１並びに様々なフィルタ及び帯域分割ダイプレクサは協調して設計することができる。３極／８投スイッチ１３５２は、第１の単極／３投スイッチ及び第２の２極／５投スイッチとして実装され、１極において受信した信号が当該５投の一つへと引き回され、及び第２極において受信した信号が当該投の３つへと引き回される。
【０１０９】
図１３Ｆは、いくつかの実施形態において、ＤＲｘモジュール１３６０が、入力選択器１３６１及び多極／多投スイッチ１３６２を含み得ることを示す。ＤＲｘモジュール１３６０は帯域分割器として、入力選択器１３６１（２極／４投スイッチとして動作可能かつ図１１及び図１２に示されるように実装可能）、４極／１０投スイッチ１３６２、並びに様々なフィルタ、整合部品及び帯域分割ダイプレクサを含む。上述のように、入力選択器１３６１、スイッチ１３６２、並びに様々なフィルタ、整合部品及び帯域分割ダイプレクサを協調して設計することができる。入力選択器１３６１及びスイッチ１３６２は、一緒になって２極／１０投スイッチとして動作する。ＤＲｘモジュール１３６０は出力マルチプレクサとして、入力を出力の選択された一つへと引き回すこと（信号を結合することを含み得る）ができる出力選択器１３６３を含む。出力選択器１３６３は、図８及び図９に例示された側面を使用して実装することができる。
【０１１０】
図１４は、ＲＦ信号を処理する方法のフローチャート表現の一実施形態を示す。いくつかの実装において（及び一例では以下に詳述されるように）、方法１４００は、図７のＤＲｘ制御器７０２又は図３の通信制御器１２０のような制御器によって行われる。いくつかの実装において、方法１４００は、ハードウェア、ファームウェア、ソフトウェア又はこれらの組み合わせを含む処理ロジックによって行うことができる。いくつかの実装において、方法１４００は、非一時的コンピュータ可読媒体（例えばメモリ）に記憶されたコードを実行するプロセッサによって行われる。簡潔には、方法１４００は、帯域選択信号を受信することと、受信ＲＦ信号を一以上の経路に沿って、選択された出力へと引き回して当該受信ＲＦ信号を処理することとを含む。
【０１１１】
方法１４００は、ブロック１４１０において、制御器が帯域選択信号を受信することから始まる。制御器は、他の制御器から帯域選択信号を受信し、又はセルラー基地局若しくは他の外部ソースから帯域選択信号を受信することができる。帯域選択信号は、無線デバイスがＲＦ信号を送受信する一以上の周波数帯域を指示することができる。いくつかの実装において、帯域選択信号は、キャリアアグリゲーション通信のための一組の周波数帯域を指示する。
【０１１２】
ブロック１４２０において、制御器は、帯域選択信号が指示した各周波数帯域のための出力端子を決定する。いくつかの実装において、帯域選択信号が単一周波数帯域を指示し、制御器は当該単一周波数帯域に対するデフォルト出力端子を決定する。いくつかの実装において、帯域選択信号が２つの周波数帯域を指示し、制御器は、当該２つの周波数帯域のそれぞれに対する異なる出力端子を決定する。いくつかの実装において、帯域選択信号が、存在する使用可能出力端子よりも多くの周波数帯域を指示し、制御器は、当該周波数帯域の２以上を結合（すなわち２以上の周波数帯域に対して同じ出力端子を決定）する。制御器は、最も近い周波数帯域又は最も離れた周波数帯域を結合することを決定することができる。
【０１１３】
ブロック１４３０において、制御器は、決定された出力端子へ各周波数帯域のための信号を引き回すべく出力マルチプレクサを制御する。制御器は、一以上のＳＰＳＴスイッチの開閉により、一以上のＳＰＭＴスイッチの状態決定により、出力マルチプレクサ制御信号の送信により、又は他のメカニズムにより出力マルチプレクサを制御することができる。
【０１１４】
図１５は、いくつかの実施形態において、ダイバーシティ受信器構成（例えば図３、４、５、６、７、１０及び１３ａ〜１３Ｆに示されるもの）のいくつか又はすべてが、一モジュールに全体的に又は部分的に実装可能であることを示す。かかるモジュールは、例えばフロントエンドモジュール（ＦＥＭ）とすることができる。かかるモジュールは、例えばダイバーシティ受信器（ＤＲｘ）ＦＥＭとすることができる。図１５の例において、モジュール１５００はパッケージング基板１５０２を含み得る。かかるパッケージング基板１５０２には一定数の部品が搭載され得る。例えば、（フロントエンド電力管理集積回路［ＦＥ−ＰＩＭＣ］を含み得る）制御器１５０４、（一以上の可変利得増幅器を含み得る）低雑音増幅器アセンブリ１５０６、（一以上のチューニング可能整合回路を含み得る）整合部品１５０８、（動的引き回し入力マルチプレクサ及び／又は動的引き回し出力マルチプレクサを含み得る）マルチプレクサアセンブリ１５１０、及び（一以上の帯域通過フィルタを含み得る）フィルタバンク１５１２を、パッケージング基板１５０２上に及び／又はパッケージング基板１５０２内に搭載及び／又は実装可能である。一定数のＳＭＴデバイス１５１４のような他の部品もまた、パッケージング基板１５０２に搭載することができる。様々な部品のすべてがパッケージング基板１５０２上にレイアウトされるように描かれるにもかかわらず、何らかの部品（複数可）が、他の部品（複数可）の上に実装できることが理解される。
【０１１５】
いくつかの実装において、ここに記載される一以上の特徴を有するデバイス及び／又は回路は、無線デバイスのようなＲＦ電子デバイスに含まれ得る。かかるデバイス及び／又は回路は、無線デバイスに直接、ここに記載されるモジュラー形態で、又はこれらの何らかの組み合わせで実装可能である。いくつかの実施形態において、かかる無線デバイスは、例えば、セルラー電話、スマートフォン、電話機能あり又はなしのハンドヘルド無線デバイス、無線タブレット等を含み得る。
【０１１６】
図１６は、ここに記載される一以上の有利な特徴を有する代表的な無線デバイス１６００を描く。ここに記載される一以上の特徴を有する一以上のモジュールの文脈において、かかるモジュールは一般に、破線枠１６０１（例えばフロントエンドモジュールとして実装可能）、ダイバーシティＲＦモジュール１６１１（例えば下流側モジュールとして実装可能）、及びダイバーシティ受信器（ＤＲｘ）モジュール９００（例えばフロントエンドモジュールとして実装可能）によって描くことができる。
【０１１７】
図１６を参照すると、電力増幅器（ＰＡ）１６２０は、その各ＲＦ信号を、増幅及び送信対象のＲＦ信号を周知の態様で発生させるべく構成かつ動作可能な送受信器１６１０から受信し、受信信号を処理することができる。送受信器１６１０は、ユーザに適したデータ及び／又は音声信号と送受信器１６１０に適したＲＦ信号との間の変換を与えるべく構成されたベース帯域サブシステム１６０８と相互作用をするように示される。送受信器１６１０はまた、無線デバイス１６００の動作のために電力を管理するべく構成された電力管理部品１６０６と通信することもできる。かかる電力管理はまた、ベース帯域サブシステム１６０８並びにモジュール１６０１、１６１１及び９００の動作を制御することもできる。
【０１１８】
ベース帯域サブシステム１６０８は、ユーザに与えられ及びユーザから受けた音声及び／又はデータの様々な入出力を容易にするべく、ユーザインタフェイス１６０２に接続されるように示される。ベース帯域サブシステム１６０８はまた、無線デバイスの動作を容易にする及び／又はユーザのための情報記憶を与えるデータ及び／又は命令を記憶するべく構成されたメモリ１６０４に接続することもできる。
【０１１９】
代表的な無線デバイス１６００において、ＰＡ１６２０の出力は、（対応整合回路１６２２を介して）対応デュプレクサ１６２４に整合され及び引き回されるように示される。かかる増幅されかつフィルタリングを受けた信号は、送信を目的としてアンテナスイッチ１６１４を介して一次アンテナ１６１６へと引き回すことができる。いくつかの実施形態において、デュプレクサ１６２４により、共通アンテナ（例えば一次アンテナ１６１６）を使用して送受信動作を同時に行うことができる。図１６において、受信された信号は、例えば低雑音増幅器（ＬＮＡ）を含み得る「Ｒｘ」経路へと引き回されるように示される。
【０１２０】
無線デバイスはまた、ダイバーシティアンテナ１６２６と、ダイバーシティアンテナ１６２６から信号を受信するダイバーシティ受信器モジュール９００とを含む。ダイバーシティ受信器モジュール９００は、受信信号を処理し、処理された信号を、ケーブル１６３５を介してダイバーシティＲＦモジュール１６１１へと送信する。ダイバーシティＲＦモジュール１６１１は、当該信号をさらに処理した後に送受信器１６１０に供給する。
【０１２１】
本開示の一以上の特徴には、ここに記載される様々なセルラー周波数帯域を実装することができる。かかる帯域の例が表１に列挙される。理解されることだが、帯域の少なくともいくつかは、サブ帯域に分割することができる。またも理解されることだが、本開示の一以上の特徴は、表１の例のような指示を有しない周波数範囲も実装することができる。
【表１】
0006321858.tif 000002
【０１２２】
本明細書及び特許請求の範囲全体にわたり、文脈上そうでないことが明らかでない限り、「含む」等の用語は、排他的又は網羅的な意味とは反対の包括的意味に、すなわち「〜を含むがこれらに限られない」との意味に解釈すべきである。ここで一般に使用される用語「結合」は、直接接続されるか又は一以上の中間要素を介して接続されるかいずれかとなり得る２以上の要素を言及する。加えて、用語「ここ」、「上」、「下」及び同様の趣旨の用語は、本願において使用される場合、本願全体を言及し、本願の任意の特定部分を言及するわけではない。文脈が許容する場合、単数又は複数を使用する上述の詳細な説明における用語はそれぞれ、複数又は単数をも含み得る。２以上の項目のリストを参照する用語「又は」及び「若しくは」について、当該用語は以下の解釈のすべてをカバーする。すなわち、当該リストの任意の項目、当該リストのすべての項目、及び当該リストの項目の任意の組み合わせである。
【０１２３】
本発明の実施形態の上記詳細な説明は、排他的であることすなわち本発明を上記開示の正確な形態に制限することを意図しない。本発明の及びその例の特定の実施形態が例示を目的として上述されたが、当業者が認識するように、本発明の範囲において様々な均等の修正も可能である。例えば、プロセス又はブロックが所与の順序で提示されるが、代替実施形態は、異なる順序でステップを有するルーチンを行うこと又はブロックを有するシステムを用いることができ、いくつかのプロセス又はブロックは削除、移動、追加、細分化、結合、及び／又は修正することができる。これらのプロセス又はブロックはそれぞれが、様々な異なる態様で実装することができる。また、プロセス又はブロックが直列的に行われるように示されることがあるが、これらのプロセス又はブロックは、その代わりに、並列して行い又は異なる時に行うこともできる。
【０１２４】
ここに与えられた本発明の教示は、必ずしも上述のシステムに限られることがなく、他のシステムにも適用することができる。上述の様々な実施形態要素及び行為は、さらなる実施形態を与えるべく組み合わせることができる。
【０１２５】
本発明のいくつかの実施形態が記載されたが、これらの実施形態は、例のみとして提示されており、本開示の範囲を制限することを意図しない。実際、ここに記載される新規な方法及びシステムは、様々な他の形態で具体化することができる。さらに、ここに記載される方法及びシステムの形態における様々な省略、置換及び変更が、本開示の要旨から逸脱することなくなし得る。添付の特許請求の範囲及びその均等物が、本開示の範囲及び要旨に収まるかかる形態又は修正をカバーすることが意図される。
【図１】
0006321858.tif 000003
【図２】
0006321858.tif 000004
【図３】
0006321858.tif 000005
【図４】
0006321858.tif 000006
【図５】
0006321858.tif 000007
【図６】
0006321858.tif 000008
【図７】
0006321858.tif 000009
【図８】
0006321858.tif 000010
【図９】
0006321858.tif 000011
【図１０】
0006321858.tif 000012
【図１１】
0006321858.tif 000013
【図１２】
0006321858.tif 000014
【図１３Ａ】
0006321858.tif 000015
【図１３Ｂ】
0006321858.tif 000016
【図１３Ｃ】
0006321858.tif 000017
【図１３Ｄ】
0006321858.tif 000018
【図１３Ｅ】
0006321858.tif 000019
【図１３Ｆ】
0006321858.tif 000020
【図１４】
0006321858.tif 000021
【図１５】
0006321858.tif 000022
【図１６】
0006321858.tif 000023